(57)【特許請求の範囲】
【請求項１】
ＨｅＮＢ ＧＷ(ｈｏｍｅ ｅｖｏｌｖｅｄ Ｎｏｄｅ Ｂ ｇａｔｅｗａｙ)のユーザ平面ベアラーを設立するための方法であって、
移動性管理エンティティー(ｍｏｂｉｌｉｔｙ ｍａｎａｇｅｍｅｎｔ ｅｎｔｉｔｙ：ＭＭＥ)から端末(ｕｓｅｒ ｅｑｕｉｐｍｅｎｔ：ＵＥ)コンテクストを設定するための第１メッセージを受信する段階と、
前記第１メッセージが相違するインターネットプロトコル(ｉｎｔｅｒｎｅｔ ｐｒｏｔｏｃｏｌ：ＩＰ)バージョンの２個の送信階層アドレスを含む場合、Ｓ１−Ｕインターフェースに使用されるＩＰバージョンを選択する段階と、
前記選択されたＩＰバージョンの送信階層アドレスを含む第２メッセージをＨｅＮＢ(ｈｏｍｅ ｅｖｏｌｖｅｄ Ｎｏｄｅ Ｂ)に送信する段階と、を含み、
前記ＨｅＮＢ ＧＷがユーザ平面の終端ではない場合、前記第１メッセージはサービングゲートウェー(ｓｅｒｖｉｎｇ  ｇａｔｅｗａｙ：ＳＧＷ)によって割り当てられた前記相違するＩＰバージョンの２個の送信階層アドレスを含むことを特徴とする、方法。
【請求項２】
前記第１メッセージは、初期コンテクストセットアップリクエストメッセージを含むことを特徴とする、請求項１に記載の方法。
【請求項３】
前記第１メッセージは、トンネル終端点識別子(ＴＥＩＤ)を含むことを特徴とする、請求項１に記載の方法。
【請求項４】
前記送信階層アドレスは、前記ＨｅＮＢと前記ＳＧＷ間のデータ送信に使用されることを特徴とする、請求項１に記載の方法。
【請求項５】
前記ＩＰバージョンを選択する段階は、
前記ＨｅＮＢによってサポートされるＩＰバージョンを選択する段階を含むことを特徴とする、請求項１に記載の方法。
【請求項６】
ユーザ平面ベアラーを設立するための装置であって、
送受信部と、
移動性管理エンティティー(ｍｏｂｉｌｉｔｙ ｍａｎａｇｅｍｅｎｔ ｅｎｔｉｔｙ：ＭＭＥ)から端末(ｕｓｅｒ  ｅｑｕｉｐｍｅｎｔ：ＵＥ)コンテクストを設定するための第１メッセージを受信し、
前記第１メッセージが相違するインターネットプロトコル(ｉｎｔｅｒｎｅｔ ｐｒｏｔｏｃｏｌ：ＩＰ)バージョンの２個の送信階層アドレスを含む場合、Ｓ１−Ｕインターフェースに使用されるＩＰバージョンを選択し、
前記選択されたＩＰバージョンの送信階層アドレスを含む第２メッセージをＨｅＮＢ(ｈｏｍｅ ｅｖｏｌｖｅｄ Ｎｏｄｅ Ｂ)に送信する制御部と、を含み、
前記装置がユーザ平面の終端ではない場合、前記第１メッセージはサービングゲートウェー(ｓｅｒｖｉｎｇ ｇａｔｅｗａｙ：ＳＧＷ)によって割り当てられた前記相違するＩＰバージョンの２個の送信階層アドレスを含むことを特徴とする、装置。
【請求項７】
前記第１メッセージは、初期コンテクストセットアップリクエストメッセージを含むことを特徴とする、請求項６に記載の装置。
【請求項８】
前記第１メッセージは、トンネル終端点識別子(ＴＥＩＤ)を含むことを特徴とする、請求項６に記載の装置。
【請求項９】
前記送信階層アドレスは、前記ＨｅＮＢと前記ＳＧＷ間のデータ送信に使用されることを特徴とする、請求項６に記載の装置。
【請求項１０】
前記制御部は、
前記ＨｅＮＢによってサポートされるＩＰバージョンを選択することを特徴とする、請求項６に記載の装置。
【請求項１１】
移動性管理エンティティー(ｍｏｂｉｌｉｔｙ ｍａｎａｇｅｍｅｎｔ ｅｎｔｉｔｙ：ＭＭＥ)のユーザ平面ベアラーを設立するための方法であって、
サービングゲートウェー(ｓｅｒｖｉｎｇ ｇａｔｅｗａｙ：ＳＧＷ)によって割り当てられた相違するインターネットプロトコル(ｉｎｔｅｒｎｅｔ ｐｒｏｔｏｃｏｌ:ＩＰ)バージョンの２個の送信階層アドレスを含む第１メッセージを受信する段階と、
前記ＨｅＮＢがユーザ平面の終端ではない場合、前記相違するＩＰバージョンの２個の送信階層アドレスを含み、端末(ｕｓｅｒ ｅｑｕｉｐｍｅｎｔ：ＵＥ)コンテクストを設定するための第２メッセージをＨｅＮＢ ＧＷ(ｈｏｍｅ ｅｖｏｌｖｅｄ Ｎｏｄｅ Ｂ ｇａｔｅｗａｙ)に送信する段階と、を含み、
前記第２メッセージが前記相違するＩＰバージョンの２個の送信階層アドレスを含む場合、Ｓ１−Ｕインターフェースに使用されるＩＰバージョンは前記ＨｅＮＢ ＧＷによって選択されることを特徴とする、方法。
【請求項１２】
前記第２メッセージは、初期コンテクストセットアップリクエストメッセージを含むことを特徴とする、請求項１１に記載の方法。
【請求項１３】
前記第２メッセージは、トンネル終端点識別子(ＴＥＩＤ)を含み、
前記送信階層アドレスは、前記ＨｅＮＢと前記ＳＧＷ間のデータ送信に使用されることを特徴とする、請求項１１に記載の方法。
【請求項１４】
ユーザ平面ベアラーを設立するための装置であって、
送受信部と、
サービングゲートウェー(ｓｅｒｖｉｎｇ ｇａｔｅｗａｙ：ＳＧＷ)によって割り当てられた相違するインターネットプロトコル(ｉｎｔｅｒｎｅｔ ｐｒｏｔｏｃｏｌ：ＩＰ)バージョンの２個の送信階層アドレスを含む第１メッセージを受信し、
前記ＨｅＮＢがユーザ平面の終端ではない場合、前記相違するＩＰバージョンの２個の送信階層アドレスを含み、端末(ｕｓｅｒ ｅｑｕｉｐｍｅｎｔ：ＵＥ)コンテクストを設定するための第２メッセージをＨｅＮＢ ＧＷ(ｈｏｍｅ ｅｖｏｌｖｅｄ Ｎｏｄｅ Ｂ ｇａｔｅｗａｙ)に送信する制御部と、を含み、
前記第２メッセージが前記相違するＩＰバージョンの２個の送信階層アドレスを含む場合、Ｓ１−Ｕインターフェースに使用されるＩＰバージョンは前記ＨｅＮＢ ＧＷによって選択されることを特徴とする、装置。
【請求項１５】
前記第２メッセージは、初期コンテクストセットアップリクエストメッセージを含むことを特徴とする、請求項１４記載の装置。
【請求項１６】
前記第２メッセージは、トンネル終端点識別子(ＴＥＩＤ)を含み、
前記送信階層アドレスは、前記ＨｅＮＢと前記ＳＧＷ間のデータ送信に使用されることを特徴とする、請求項１４に記載の装置。
【発明の詳細な説明】
【技術分野】
【０００１】
本発明は、無線通信技術に関する。特に、本発明はユーザ平面ベアラーを設立するための方法及び装置に関する。
【背景技術】
【０００２】
現在、移動通信技術は益々より高速の(ｈｉｇｈｒａｔｅ)マルチメディアサービスを提供する傾向がある。
【０００３】
図１は、従来技術によるシステムアーキテクチャーエボリューション(Ｓｙｓｔｅｍ Ａｒｃｈｉｔｅｃｔｕｒｅ Ｅｖｏｌｕｔｉｏｎ；ＳＡＥ)システムを示した概路図である。
【０００４】
図１を参照すれば、ＳＡＥシステムにおいてユーザ装置(Ｕｓｅｒ Ｅｑｕｉｐｍｅｎｔ；ＵＥ)１０１は、データを受信するための端末装置である。進化された汎用地上無線アクセスネットワーク(Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ；Ｅ-ＵＴＲＡＮ)１０２は、ＵＥに対する無線ネットワークインターフェースを提供するためのｅＮｏｄｅ Ｂ／Ｎｏｄｅ Ｂを含む無線アクセスネットワークである。モバイル管理エンティティー(Ｍｏｂｉｌｅ Ｍａｎａｇｅｍｅｎｔ Ｅｎｔｉｔｙ；ＭＭＥ)１０３は、移動性コンテクスト、セッションコンテクスト及びＵＥの保安情報を管理するように構成される。サービングゲートウェー(Ｓｅｒｖｉｎｇ Ｇａｔｅｗａｙ；ＳＧＷ)１０４は、ユーザ平面の機能を提供するように構成される。ＭＭＥ１０３及びＳＧＷ１０４は、同じ物理的エンティティーにあり得る。パケットゲートウェー(Ｐａｃｋｅｔ Ｇａｔｅｗａｙ；ＰＧＷ)１０５は、課金及び法的モニタリング(ｃｈａｒｇｉｎｇ ａｎｄ ｌｅｇａｌ ｍｏｎｉｔｏｒｉｎｇ)機能を具現するように構成される。ＰＧＷ１０５及びＳＧＷ１０４は、同じ物理的エンティティーであることができる。政策及び課金規則機能(Ｐｏｌｉｃｙ ａｎｄ Ｃｈａｒｇｉｎｇ Ｒｕｌｅｓ Ｆｕｎｃｔｉｏｎ；ＰＣＲＦ)１０６は、ＱｏＳ(Ｑｕａｌｉｔｙ ｏｆ Ｓｅｒｖｉｃｅ)政策及び課金規則を提供するように構成される。ＳＧＳＮ(Ｓｅｒｖｉｃｅ ＧＰＲＳ Ｓ ｕｐｐｏｒｔｉｎｇ Ｎｏｄｅ)１０８は、ＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)からデータ送信のためのラウティングを提供するためのネットワークノード装置である。ホーム加入者サーバー(Ｈｏｍｅ Ｓｕｂｓｃｒｉｂｅｒ Ｓｅｒｖｅｒ；ＨＳＳ)１０９は、ＵＥのホームザブシステムであり、ＵＥの現在位置、サービングノードのアドレス、ユーザ保安情報及びＵＥのパケットデータコンテクストを含むユーザ情報を保護するように構成される。
【０００５】
図２は、関連技術分野によるＵＥ接続プロセスを示したフローチャートである。
【０００６】
図２を参照すれば、動作２０１で、ＵＥは接続リクエスト(Ａｔｔａｃｈ Ｒｅｑｕｅｓｔ)をＭＭＥに送信する。接続リクエストは、無線リソース制御(ＲＲＣ)メッセージ及びＳ１メッセージを用いることによって進化されたＮｏｄｅ Ｂ(ｅＮＢ)を通じてＭＭＥに送信される。
【０００７】
動作２０２で、ＭＭＥはセッション生成リクエスト(Ｃｒｅａｔｅ Ｓｅｓｓｉｏｎ Ｒｅｑｕｅｓｔ)をＳＧＷ／ＰＧＷに送信する。ＳＧＷとＰＧＷが分離される場合、ＳＧＷとＰＧＷ間のシグナリングプロセスは本明細書で省略する。
【０００８】
動作２０３で、ＳＧＷ／ＰＧＷはセッション生成応答(Ｃｒｅａｔｅ Ｓｅｓｓｉｏｎ Ｒｅｓｐｏｎｓｅ)をＭＭＥに送信する。セッション生成応答は、ＵＥのそれぞれのベアラーに対してＳＧＷによって割り当てられたＳ１インターフェースのアップリンクトンネル終了点識別子(Ｔｕｎｎｅｌ Ｅｎｄｐｏｉｎｔ Ｉｄｅｎｔｉｆｉｅｒ；ＴＥＩＤ)及び送信階層アドレスを含む。送信階層アドレスは、インターネットプロトコルバージョン４(ＩＰｖ４)及び／又はインターネットプロトコルバージョン６(ＩＰｖ６)であることができる。
【０００９】
動作２０４で、ＭＭＥは初期コンテクストセットアップリクエスト(Ｉｎｉｔｉａｌ Ｃｏｎｔｅｘｔ Ｓｅｔｕｐ Ｒｅｑｕｅｓｔ)をｅＮＢに送信する。初期コンテクストセットアップリクエストはＵＥのそれぞれのベアラーに対してＳＧＷによって指定されたＳ１インターフェースのアップリンクＴＥＩＤ及び送信階層アドレスを含む。送信階層アドレスはＩＰｖ４及び／又はＩＰｖ６であることができる。
【００１０】
動作２０５で、ｅＮＢはＲＲＣ接続再設定メッセージをＵＥに送信する。
動作２０６で、ＵＥはＲＲＣ接続再設定応答をｅＮＢに送信する。
動作２０７で、ｅＮＢは初期コンテクストセットアップ応答(Ｉｎｉｔｉａｌ Ｃｏｎｔｅｘｔ Ｓｅｔｕｐ Ｒｅｓｐｏｎｓｅ)をＭＭＥに送信する。初期コンテクストセットアップ応答はＵＥのそれぞれのベアラーに対してｅＮＢによって割り当てられたＳ１インターフェースのダウンリンクＴＥＩＤ及び送信階層アドレスを含む。送信階層アドレスはＩＰｖ４及び／又はＩＰｖ６であることができる。
動作２０８で、ＵＥは直接伝達メッセージ(ＤｉｒｅｃｔＴｒａｎｓｆｅｒｍｅｓｓａｇｅ)をｅＮＢに送信する。
【００１１】
動作２０９で、ｅＮＢはＮＡＳ(Ｎｏｎ ａｃｃｅｓｓ ｓｔｒａｔｕｍ)メッセージ及び接続完了メッセージ(Ａｔｔａｃｈ ｃｏｍｐｌｅｔｅ ｍｅｓｓａｇｅ)をＭＭＥに送信する。
【００１２】
このような動作で、ｅＮＢはＳ１アップリンク直接伝達メッセージを用いることによって接続完了メッセージをＭＭＥに送信する。
【００１３】
動作２１０で、ＭＭＥはベアラー修正リクエスト(Ｂｅａｒｅｒ ＭｏｄｉｆｉｃａｔｉｏｎＲｅｑｕｅｓｔ)をＳＧＷ／ＰＧＷに送信する。ベアラー修正リクエストはＵＥのそれぞれのベアラーに対してｅＮＢによって割り当てられたＳ１インターフェースのダウンリンクＴＥＩＤ及び送信階層アドレスを含み、これはｅＮＢから受信される。送信階層アドレスはＩＰｖ４及び／又はＩＰｖ６であることができる。
【００１４】
動作２１１で、ＳＧＷ／ＰＧＷはベアラー修正応答をＭＭＥに送信する。
【発明の概要】
【発明が解決しようとする課題】
【００１５】
関連技術分野の技術で、ＳＧＷ／ＰＧＷからＭＭＥに送信される送信階層アドレスはＩＰｖ４アドレスまたはＩＰｖ６アドレス、若しくはＩＰｖ４アドレス及びＩＰｖ６アドレスのいずれもであることがあり、Ｓ１インターフェースだけは１つのＩＰアドレスを有する。ＳＧＷ及びｅＮＢによりサポートされるＩＰアドレスバージョンが相違する場合、解決された問題はユーザ平面ベアラーを正確に設立する方法、及びどんなノードがＳ１インターフェースのＩＰバージョンを選択する方法を含む。
【００１６】
したがって、ユーザ平面ベアラーを設立するための方法及び装置に対する必要性が存在する。
【００１７】
上述した情報は、ただ本発明の理解を助けるために背景情報として提供される。上述したことのうちのいずれか１つが本発明に関する従来技術として適用することができるかに関するどんな決定が行わず、どんな主張も行われない。
【００１８】
本発明の態様は、少なくとも上述した問題点及び／又は短所を解決し、後述する少なくとも利点を提供するためのことである。したがって、システムアーキテクチャーエボリューション(ＳＡＥ)システムがインターネットプロトコルバージョン４(ＩＰｖ４)をサポートする装置及びイターネットプロトコルバージョン６(ＩＰｖ６)をサポートする装置のいずれもを含む場合にユーザ平面ベアラーが正確に設立されることができるように本発明の態様はユーザ平面ベアラーを設立するための方法を提供することである。
【００１９】
本発明の他の態様は、ＳＡＥシステムがＩＰｖ４をサポートする装置及びＩＰｖ６をサポートする装置のいずれもを含む場合にユーザ平面ベアラーが正確に設立されることができるようにユーザ平面ベアラーを設立するための装置を提供することである。
【００２０】
本発明の態様によれば、ユーザ平面ベアラーを設立するための方法が提供される。方法は、ＨｅＮＢ ＧＷ(ｈｏｍｅ ｅｖｏｌｖｅｄ Ｎｏｄｅ Ｂ ｇａｔｅｗａｙ)によって、サービングゲートウェー(ＳＧＷ)によって割り当てられる少なくとも１つのＩＰバージョンの少なくとも１つの送信階層アドレスを含む第１メッセージを受信する段階と、ＨｅＮＢ ＧＷによって第１メッセージが相違するバージョンの２個の送信階層アドレスを含む場合にＳ１−Ｕインターフェースに使用されるＩＰバージョンを選択する段階と、及びＨｅＮＢ ＧＷによって選択されたＩＰバージョンの送信階層アドレスを含む第２メッセージをＨｅＮＢ(ｈｏｍｅ ｅｖｏｌｖｅｄ Ｎｏｄｅ Ｂ)に送信する段階と、を含む。
【００２１】
本発明の他の態様によれば、ユーザ平面ベアラーを設立するための方法が提供される。方法は、移動性管理エンティティー(ＭＭＥ)によってサービングゲートウェー(ＳＧＷ)によって割り当てられた少なくとも１つのＩＰバージョンの少なくとも１つの送信階層アドレスを含む第１メッセージを受信する段階と、少なくとも１つのＩＰバージョンの少なくとも１つの送信階層アドレスを含む第２メッセージをＨｅＮＢ ＧＷ(ｈｏｍｅ ｅｖｏｌｖｅｄ Ｎｏｄｅ Ｂ ｇａｔｅｗａｙ)に送信する段階と、を含み、第２メッセージが相違するバージョンの２個の送信階層アドレスを含む場合、Ｓ１−Ｕインターフェースに使用されるＩＰバージョンはＨｅＮＢ ＧＷによって選択される。
【００２２】
本発明の他の態様によれば、ユーザ平面ベアラーを設立するための装置が提供される。装置は、信号を送受信するための送受信機と、サービングゲートウェー(ＳＧＷ)によって割り当てられた少なくとも１つのＩＰバージョンの少なくとも１つの送信階層アドレスを含む第１メッセージを受信し、第１メッセージが相違するバージョンの２個の送信階層アドレスを含む場合にＳ１−Ｕインターフェースに使用されるＩＰバージョンを選択し、選択されたＩＰバージョンの送信階層アドレスを含む第２メッセージをＨｅＮＢ(Ｈｏｍｅ ｅｖｏｌｖｅｄ Ｎｏｄｅ  Ｂ)に送信するように構成される制御機と、を含む。
【００２３】
本発明の他の態様によれば、ユーザ平面ベアラーを設立するための装置が提供される。装置は、信号を送受信するための送受信機と、サービングゲートウェー(ＳＧＷ)によって割り当てられた少なくとも１つのＩＰバージョンの少なくとも１つの送信階層アドレスを含む第１メッセージを受信し、少なくとも１つのＩＰバージョンの少なくとも１つの送信階層アドレスを含む第２メッセージをＨｅＮＢ ＧＷ(ｈｏｍｅ ｅｖｏｌｖｅｄ Ｎｏｄｅ Ｂ ｇａｔｅｗａｙ)に送信するように構成される制御機と、を含み、第２メッセージが相違するバージョンの２個の送信階層アドレスを含む場合に、Ｓ１−Ｕインターフェースに使用されるＩＰバージョンはＨｅＮＢ ＧＷによって選択される。
【００２４】
上述した技術的ソリューションによれば、本発明によって提供される方法及び装置を用いることによって、ＭＭＥからＳＧＷ／ＰＧＷによってサポートされる送信階層アドレスを受信する場合、ＲＡＮエンティティーはユーザ平面ベアラーを設立するために適切な送信階層アドレスを直接選択したり、ＳＧＷ／ＰＧＷによって送信される送信階層アドレスを受信した後、ＭＭＥはユーザ平面ベアラーを設立するために適切な送信階層アドレスを選択したり、ＭＭＥはユーザ平面ベアラーを設立するためにアクセスエンティティーによって用いられる獲得された送信階層アドレスをＳＧＷ／ＰＧＷに報告する。このような方式で、ＳＡＥシステムがＩＰｖ４をサポートする装置及びＩＰｖ６をサポートする装置のいずれもを含む時、ユーザ平面ベアラーは正確に設立されることができる。
【００２５】
本発明の他の態様、利点、及び顕著な特徴は添付された図面と共に表われ、本発明の多様な実施形態を開示する次の詳細な説明から本技術分野の通常の技術者に明らかになるだろう。
【図面の簡単な説明】
【００２６】
本発明の特定実施形態の上述した他の態様、特徴、及び利点は添付された図面と共に表われる次の説明からより一層明らかになるだろう。
【図１】関連技術分野によるシステムアーキテクチャーエボリューション(ＳＡＥ)システムを示した概路図である。
【図２】関連技術分野によるユーザ装置(ＵＥ)の接続プロセスを示したフローチャートである。
【図３】本発明の実施形態によってユーザ平面ベアラーを設立するための第１方法を示したフローチャートである。
【図４】本発明の実施形態によってユーザ平面ベアラーを設立するための第２方法を示したフローチャートである。
【図５】本発明の実施形態によってユーザ平面ベアラーを設立するための第３方法を示したフローチャートである。
【図６】本発明の実施形態によってユーザ平面ベアラーを設立するための第４方法を示したフローチャートである。
【図７】本発明の実施形態によってユーザ平面ベアラーを設立するための第５方法を示したフローチャートである。
【図８】本発明の実施形態によってユーザ平面ベアラーを設立するための第６方法を示したフローチャートである。
【図９】本発明の実施形態によってユーザ平面ベアラーを設立するための第７方法を示したフローチャートである。
【図１０】本発明の実施形態によってユーザ平面ベアラーを設立するための第８方法を示したフローチャートである。
【図１１】本発明のユーザ平面ベアラーを設立するための第８方法によりユーザ装置(ＵＥ)のｅＮＢ(ｅｖｏｌｖｅｄ Ｎｏｄｅ Ｂ)によってサポートされるインターネットプロトコル(ＩＰ)バージョンを移動管理エンティティー(ＭＭＥ)によって獲得する第１手続きを示したフローチャートである。
【図１２】本発明のユーザ平面ベアラーを設立するための第８方法によりＵＥのｅＮＢによりサポートされるＩＰバージョンをＭＭＥによって獲得する第２手続きを示したフローチャートである。
【図１３】本発明の実施形態によってユーザ平面ベアラーを設立するための第９方法を示したフローチャートである。
【図１４】本発明の実施形態によってユーザ平面ベアラーを設立するための第１０方法を示したフローチャートである。
【図１５】本発明の実施形態によってユーザ平面ベアラーを設立するための第１１方法を示した概路図である。
【図１６】本発明の実施形態によってユーザ平面ベアラーを設立するための方法を示したフローチャートである。
【図１７】本発明の実施形態によってユーザ平面ベアラーを設立するための装置を示した概路図である。
【００２７】
図面の全般にかけて、同じ参照番号は同じであるか類似の要素、特徴及び構造を示すのに使用されるということに注目すべきである。
【発明を実施するための形態】
【００２８】
添付された図面を参照して次の説明は請求範囲及びこの等価物によって定義されるような本発明の多様な実施形態の包括的な理解を助けるために提供される。それはこのような理解を助けるために多様な特定詳細事項を含むが、これらはただ例示的なことで見なされなければならない。したがって、本技術分野の通常の技術者は本明細書に説明された多様な実施形態の多様な変更及び修正が本発明の範囲及び思想から逸脱せず成ることができるということを認識するだろう。さらに、公知された機能及び構成に対する説明は明確性及び簡潔性のために省略されることができる。
【００２９】
次の説明及び請求範囲で用いられた用語及び単語は書誌意味に限定されず、ただ発明者によって本発明の明確で一貫性ある理解ができるようにするために用いられる。したがって、本発明の多様な実施形態に対する次の説明は添付された請求範囲及びこの等価物によって定義されるように本発明を制限するためではなくただ例示のために提供されるということが本技術分野の技術者には明白ではなければならない。
【００３０】
単数形態“ａ”、“ａｎ”及び“ｔｈｅ”は文脈がはっきり異なり指示しなければ複数の指示ターゲットを含むことに理解されなければならない。したがって、例えば、“構成要素表面(ｃｏｍｐｏｎｅｎｔｓｕｒｆａｃｅ)”に対する参照物はこのような表面中の１つ以上に対する参照物を含む。
【００３１】
用語“実質的に”によって、列挙された特性、パラメーターまたは値は正確に達成される必要がないが、例えば、許容誤差、測定誤差、測定正確性限界及び本技術分野の技術者に知られた他の要因を含むという偏差または変形は特性が提供するように意図された効果を邪魔しない量で発生することができるということに意味される。
【００３２】
図１は、関連技術分野によるシステムアーキテクチャーエボリューション(ＳＡＥ)システムを示した概路図である。
【００３３】
図２は、関連技術分野によるユーザ装置(ＵＥ)の接続プロセスを示したフローチャートである。
【００３４】
本発明によって提供された方法及び装置においてユーザ平面ベアラーを正確でかつ成功的に設立し、相違する製造社間の相互操作性を保障するためにＳＡＥシステムがインターネットプロトコルバージョン４(ＩＰｖ４)をサポートする装置及びインターネットプロトコルバージョン６(ＩＰｖ６)をサポートする装置のいずれもを含む場合、モバイル管理エンティティー(ＭＭＥ)からサービングゲートウェー(ＳＧＷ)／パケットゲートウェー(ＰＧＷ)によってサポートされる送信階層アドレスを受信する時、無線アクセスネットワーク(ＲＡＮ)エンティティーはユーザ平面ベアラーを設立するために適切な送信階層アドレスを直接選択したり、ＳＧＷ／ＰＧＷによって送信される送信階層アドレスを受信した後、ＭＭＥはユーザ平面ベアラーを設立するために適切な送信階層アドレスを選択したり、ＭＭＥはユーザ平面ベアラーを設立するためにアクセスエンティティーによって用いられる獲得された送信階層アドレスをＳＧＷ／ＰＧＷに報告する。
【００３５】
本発明の多様な実施形態で、アクセスエンティティーはｅＮＢ(ｅｖｏｌｖｅｄ Ｎｏｄｅ Ｂ)、ホームｅＮＢゲートウェー、ホームｅＮＢ、マスターｅＮＢ、補助ｅＮＢなどであってもよい。本発明の実施形態は次のように提供されるだろう。
【００３６】
図３は、本発明の実施形態によってユーザ平面ベアラーを設立するための第１方法を示したフローチャートである。
【００３７】
図３を参照すれば、ＭＭＥはＳＧＷから受信されるそれぞれのベアラーに対してＳＧＷによって割り当てられた送信階層アドレス及びアップリンクＴＥＩＤをｅＮＢに直接送信する。ＩＰｖ４及びＩＰｖ６のいずれもの送信階層アドレスを受信した場合、ｅＮＢはＩＰｖ４またはＩＰｖ６のうちのいずれか１つを選択する。方法は、次のような処理を含む。
【００３８】
動作(３０１)で、ＭＭＥは第１ベアラーセットアップリクエストメッセージをＳＧＷに送信する。
【００３９】
第１ベアラーセットアップリクエストメッセージは、セッション生成リクエスト、または生成ベアラーリクエスト、またはＳ１１インターフェースを通じてベアラーセットアップリクエストのための他のメッセージであってもよい。
【００４０】
動作３０２で、ＳＧＷは第１ベアラーセットアップ応答メッセージをＭＭＥに送信する。
【００４１】
応答はそれぞれのベアラーに対してＳＧＷによって割り当てられた送信階層アドレス及びアップリンクトンネル終了点識別子(ＴＥＩＤ)を含む。送信階層アドレスは、ＩＰｖ４アドレスまたはＩＰｖ６アドレス、若しくはＩＰｖ４アドレス及びＩＰｖ６アドレスのいずれもであることがある。ＩＰｖ４アドレス及びＩＰｖ６アドレスのいずれもが含まれる場合、ＩＰｖ４アドレスはＩＰｖ６アドレス前後に位置されることができる。ＳＧＷがＩＰｖ４だけをサポートする場合、ＩＰｖ４アドレスだけが含まれる。ＳＧＷがＩＰｖ６だけをサポートする場合、ＩＰｖ６アドレスだけが含まれる。ＳＧＷがＩＰｖ４及びＩＰｖ６のいずれもをサポートする場合、ＩＰｖ４アドレス及びＩＰｖ６アドレスのいずれもが含まれる。第１ベアラーセットアップ応答はセッション生成応答または生成ベアラー応答、若しくはＳ１１インターフェースを通じて用いられる他のベアラーセットアップ応答メッセージであってもよい。
【００４２】
動作(３０３)で、ＭＭＥは第２ベアラーセットアップリクエストメッセージをｅＮＢに送信する。このようなメッセージはそれぞれのベアラーに対してＳＧＷによって送信階層アドレス及び割り当てられたアップリンクＴＥＩＤを含み、これはＳＧＷから受信される。
【００４３】
送信階層アドレスはＳＧＷから受信され、ＩＰｖ４アドレスまたはＩＰｖ６アドレス、若しくはＩＰｖ４アドレス及びＩＰｖ６アドレスのいずれもを含むことができる。第２ベアラーセットアップリクエストメッセージは、初期コンテクスト設定リクエストまたはＥ-ＲＡＢ設定リクエスト、若しくはハンドオーバーリクエスト、またはＳ１インターフェースを通じて用いられたベアラーセットアップリクエストに対する他のメッセージであってもよい。
【００４４】
動作(３０４)で、ｅＮＢは応答をＭＭＥに送信する。応答はそれぞれのベアラーに対してｅＮＢによって割り当てられた送信階層アドレス及びダウンリンクＴＥＩＤを含む。
【００４５】
ＭＭＥからｅＮＢにより受信されるリクエストメッセージに含まれた送信階層アドレスがＩＰｖ４であり、ｅＮＢがＩＰｖ４をサポートする場合、ｅＮＢはＩＰｖ４の送信階層アドレスを割り当てて、割り当てられた送信階層アドレスを応答を通じてＭＭＥに送信する。
【００４６】
ｅＮＢがＩＰｖ４をサポートしない場合、ｅＮＢは失敗応答をＭＭＥに送信する。失敗応答は失敗理由を含み、例えば、送信階層アドレスはサポートされない。
【００４７】
ＭＭＥからｅＮＢにより受信されるリクエストメッセージに含まれた送信階層アドレスがＩＰｖ６であり、ｅＮＢがＩＰｖ６をサポートする場合、ｅＮＢはＩＰｖ６の送信階層アドレスを割り当てて、送信階層アドレスを応答を通じてＭＭＥに送信する。ｅＮＢがＩＰｖ６をサポートしない場合、ｅＮＢは失敗応答をＭＭＥに送信する。失敗応答は失敗理由を含み、例えば、送信階層アドレスはサポートされない。
【００４８】
ＭＭＥからｅＮＢにより受信されるリクエストメッセージに含まれた送信階層アドレスがＩＰｖ４アドレス及びＩＰｖ６アドレスのいずれもを含む場合、ｅＮＢはｅＮＢによりサポートされたＩＰバージョンによってＩＰｖ４またはＩＰｖ６を選択し、選択されたＩＰバージョンに対応する送信階層アドレスを割り当てる。それぞれのベアラーに割り当てられた送信階層アドレスは応答に含まれる。ｅＮＢがＩＰｖ４をサポートする場合、ＩＰｖ４が選択される。ｅＮＢがＩＰｖ６をサポートする場合にはＩＰｖ６が選択される。ｅＮＢがＩＰｖ４及びＩＰｖ６のいずれもをサポートする場合、ｅＮＢは具現またはＯ＆Ｍ構成によってＩＰｖ４またはＩＰｖ６を選択する。
【００４９】
ｅＮＢがＭＭＥからＩＰｖ４アドレス及びＩＰｖ６アドレスを受信するが、ｅＮＢが送信階層アドレスバージョンを選択した後、ｅＮＢはＳＧＷによって割り当てられたアップリンクＴＥＩＤと、ｅＮＢにより選択されるＩＰバージョンに対応するＳＧＷによって割り当てられた送信階層アドレスによってアップリンクデータをＳＧＷに送信する。
【００５０】
ＭＭＥは送信階層アドレスとそれぞれのベアラーに対してｅＮＢによって割り当てられたダウンリンクＴＥＩＤをＳＧＷに送信する。
【００５１】
ＳＧＷがＩＰｖ４アドレス及びＩＰｖ６アドレスのいずれもをＭＭＥに送信する場合、ダウンリンクＴＥＩＤ及び送信階層アドレスを受信した後、ＳＧＷはｅＮＢによりサポートされたり選択されたＩＰバージョンが分かっている。ＳＧＷはダウンリンクＴＥＩＤ及び送信階層アドレスによってダウンリンクデータを送信し、ＳＧＷによって割り当てられたＴＥＩＤと対応するバージョンの送信階層アドレスによってアップリンクデータを受信する。
【００５２】
上述した方法を用いることによって、ネットワークがＩＰｖ４をサポートする装置及びＩＰｖ６をサポートする装置のいずれもを含む場合、ユーザ平面ベアラーは正確でかつ成功的に設立され、これにより相違する製造社間の相互操作性を保障し、ＭＭＥを修正することを回避することができる。
【００５３】
図４は、本発明の実施形態によってユーザ平面ベアラーを設立するための第２方法を示したフローチャートである。
【００５４】
図４を参照すれば、ＭＭＥはＳＧＷから受信されるそれぞれのベアラーに対してＳＧＷによって割り当てられた送信階層アドレス及びアップリンクＴＥＩＤをＨｅＮＢ(ｈｏｍｅｅＮＢ) ゲートウェー(ＧＷ)に送信する。ＨｅＮＢ ＧＷはＭＭＥから受信されるそれぞれのベアラーに対してＳＧＷによって割り当てられた送信階層アドレス及びアップリンクＴＥＩＤをＨｅＮＢに送信する。ＨｅＮＢは、ＩＰｖ４またはＩＰｖ６のうちのいずれか１つを選択する。方法は、次のような処理を含む。
【００５５】
動作(４０１及び４０２)での処理はそれぞれ動作(３０１及び３０２)での処理と同様であり、これは本明細書で説明しない。
【００５６】
動作(４０３)で、ＭＭＥは第２ベアラーセットアップリクエストメッセージをＨｅＮＢ ＧＷに送信する。メッセージはＳＧＷから受信されるそれぞれのベアラーに対してＳＧＷによって割り当てられた送信階層アドレス及びアップリンクＴＥＩＤを含む。送信階層アドレスはＳＧＷから受信され、ＩＰｖ４アドレスまたはＩＰｖ６アドレス、若しくはＩＰｖ４アドレス及びＩＰｖ６アドレスのいずれもを含むことができる。第２ベアラーセットアップリクエストメッセージは初期コンテクスト設定リクエストまたはＥ-ＲＡＢ設定リクエスト、若しくはハンドオーバーリクエストまたはＳ１インターフェースを通じて用いられたベアラーセットアップリクエストに対する他のメッセージであってもよい。
【００５７】
ユーザ平面データがＨｅＮＢ ＧＷを通じてＳＧＷからＨｅＮＢに送信される必要がある場合に、ＨｅＮＢ ＧＷによって受信されたリクエストメッセージがＩＰｖ４(またはＩＰｖ６)を含み、ＨｅＮＢ ＧＷがＩＰｖ４(またはＩＰｖ６)をサポートしない場合、ＨｅＮＢ ＧＷは失敗応答をＭＭＥに送信する。失敗応答は失敗理由を含み、例えば、送信階層アドレスがサポートされない。ＨｅＮＢ ＧＷによって受信されたリクエストメッセージがＩＰｖ４(またはＩＰｖ６)を含み、ＨｅＮＢ ＧＷまたはＵＥのＨｅＮＢがＩＰｖ４(またはＩＰｖ６)をサポートしない場合、ＨｅＮＢ ＧＷは失敗応答をＭＭＥに送信する。失敗応答は失敗理由を含み、例えば、送信階層アドレスはサポートされない。
【００５８】
動作(４０４)で、ＨｅＮＢ ＧＷは第３ベアラーセットアップリクエストメッセージをＨｅＮＢに送信する。
【００５９】
データがＳＧＷからＨｅＮＢに直接送信され、ユーザ平面データがＨｅＮＢ ＧＷを通じて送信されない場合に、第３ベアラーセットアップリクエストメッセージはＭＭＥから受信されるそれぞれのベアラーの送信階層アドレス及びアップリンクＴＥＩＤを含む。送信階層アドレスはＭＭＥから受信し、ＩＰｖ４アドレスまたはＩＰｖ６アドレス、若しくはＩＰｖ４アドレス及びＩＰｖ６アドレスのいずれもを含むことができる。
【００６０】
第３ベアラーセットアップリクエストメッセージは、初期コンテクスト設定リクエストまたはＥ-ＲＡＢ設定リクエスト、若しくはハンドオーバーリクエストまたはＳ１インターフェースを通じて用いられたベアラーセットアップリクエストのための他のメッセージであってもよい。
【００６１】
動作(４０５)で、ＨｅＮＢは応答をＨｅＮＢ ＧＷに送信する。応答はそれぞれのベアラーに対してＨｅＮＢによって割り当てられた送信階層アドレス及びダウンリンクＴＥＩＤを含む。
【００６２】
ＨｅＮＢ ＧＷからＨｅＮＢにより受信されるリクエストメッセージに含まれた送信階層アドレスがＩＰｖ４であり、ＨｅＮＢがＩＰｖ４をサポートする場合、ＨｅＮＢはＩＰｖ４の送信階層アドレスを割り当てて、割り当てられた送信階層アドレスを応答を通じてＨｅＮＢ ＧＷに送信する。ＨｅＮＢがＩＰｖ４をサポートしない場合、ＨｅＮＢは失敗応答をＨｅＮＢ ＧＷに送信する。失敗応答が失敗理由を含み、例えば、送信階層アドレスがサポートされない。
【００６３】
ＨｅＮＢ ＧＷからＨｅＮＢにより受信されるリクエストメッセージに含まれた送信階層アドレスがＩＰｖ６であり、ＨｅＮＢがＩＰｖ６をサポートする場合、ＨｅＮＢはＩＰｖ６の送信階層アドレスを割り当てて、割り当てられた送信階層アドレスを応答を通じてＨｅＮＢ ＧＷに送信する。ＨｅＮＢがＩＰｖ６をサポートしない場合、ＨｅＮＢは失敗応答をＨｅＮＢ ＧＷに送信する。失敗応答が失敗理由を含み、例えば、送信階層アドレスがサポートされない。
【００６４】
ＨｅＮＢ ＧＷからＨｅＮＢにより受信されるリクエストメッセージに含まれた送信階層アドレスがＩＰｖ４アドレス及びＩＰｖ６アドレスのいずれもを含む場合、ＨｅＮＢはＨｅＮＢによりサポートされたＩＰバージョンによってＩＰｖ４またはＩＰｖ６を選択し、選択されたＩＰバージョンに対応する送信階層アドレスを割り当てる。それぞれのベアラーに割り当てられた送信階層アドレスは応答に含まれる。ＨｅＮＢがＩＰｖ４をサポートする場合、ＩＰｖ４が選択される。ＨｅＮＢがＩＰｖ６をサポートする場合にはＩＰｖ６が選択される。ＨｅＮＢがＩＰｖ４及びＩＰｖ６のいずれもをサポートする場合、ＨｅＮＢは具現またはＯ＆Ｍ構成によってＩＰｖ４またはＩＰｖ６を選択する。
【００６５】
ＨｅＮＢがＩＰｖ４アドレス及びＩＰｖ６アドレスを受信するが、ＨｅＮＢが送信階層アドレスバージョンを選択した後、ＨｅＮＢはＳＧＷによって割り当てられたアップリンクＴＥＩＤと、ＨｅＮＢにより選択されるＩＰバージョンに対応するＳＧＷによって割り当てられた送信階層アドレスによってアップリンクデータをＳＧＷに送信する。
【００６６】
ＨｅＮＢ ＧＷはＨｅＮＢから受信されるそれぞれのベアラーに対してＨｅＮＢによって割り当てられた送信階層アドレス及びダウンリンクＴＥＩＤをＭＭＥに送信する。
【００６７】
ＭＭＥはＨｅＮＢ ＧＷから受信されるそれぞれのベアラーの送信階層アドレス及びダウンリンクＴＥＩＤをＳＧＷに送信する。
【００６８】
ＳＧＷがＩＰｖ４アドレス及びＩＰｖ６アドレスのいずれもをＭＭＥに送信する場合、ＨｅＮＢによって割り当てられたダウンリンク送信階層アドレスを受信した後、ＳＧＷはＨｅＮＢによりサポートされたり選択されたＩＰバージョンが分かっている。ＳＧＷはダウンリンクＴＥＩＤ及び送信階層アドレスによってダウンリンクデータを送信し、ＳＧＷによって割り当てられたＴＥＩＤと、対応するバージョンのＳＧＷによって割り当てられた送信階層アドレスによってアップリンクデータを受信する。
【００６９】
上述した方法を用いることによって、ＨｅＮＢがＨｅＮＢ ＧＷを通じてコアネットワークにアクセスし、ＳＡＥシステムがＩＰｖ４をサポートする装置及びＩＰｖ６をサポートする装置のいずれもを含む場合、ユーザ平面ベアラーは正確でかつ成功的に設立され、これにより、相違する製造社間の相互操作性を保障し、ＭＭＥを修正することを回避することができる。ＨｅＮＢアーキテクチャーで、ユーザ平面データがＨｅＮＢ ＧＷを通せずＳＧＷからＨｅＮＢに直接送信される時、このような方法の長所はより明らかである。
【００７０】
図５は、本発明の実施形態によってユーザ平面ベアラーを設立するための第３方法を示したフローチャートである。
【００７１】
図５を参照すれば、ＭＭＥはＳＧＷから受信されるそれぞれのベアラーに対してＳＧＷによって割り当てられた送信階層アドレス及びアップリンクＴＥＩＤをＨｅＮＢ ＧＷに直接送信する。ＨｅＮＢ ＧＷはＩＰｖ４またはＩＰｖ６のうちのいずれか１つを選択する。方法は、次のような処理を含む。
【００７２】
動作(５０１及び５０２)での処理はそれぞれ動作(３０１及び３０２)での処理と同様であり、これは本明細書で説明しない。
【００７３】
動作(５０３)で、ＭＭＥは第２ベアラーセットアップリクエストメッセージをＨｅＮＢ ＧＷに送信する。メッセージはＳＧＷから受信されるそれぞれのベアラーに対してＳＧＷによって割り当てられたアップリンク送信階層アドレス及びＴＥＩＤを含む。送信階層アドレスはＳＧＷから受信され、ＩＰｖ４アドレスまたはＩＰｖ６アドレス、若しくはＩＰｖ４アドレス及びＩＰｖ６アドレスのいずれもを含むことができる。第２ベアラーセットアップリクエストメッセージは初期コンテクスト設定リクエストまたはＥ-ＲＡＢ設定リクエスト、若しくはハンドオーバーリクエストまたはＳ１インターフェースを通じて用いられたベアラーセットアップリクエストに対する他のメッセージであってもよい。
【００７４】
動作(５０４)で、ＨｅＮＢ ＧＷはＩＰｖ４アドレス及びＩＰｖ６アドレスのうちのいずれか１つを送信階層アドレスとして選択する。
【００７５】
ＭＭＥからＨｅＮＢ ＧＷによって受信されるリクエストメッセージに含まれた送信階層アドレスがＩＰｖ４であり、ＨｅＮＢ ＧＷがＩＰｖ４をサポートする場合、ＨｅＮＢ ＧＷはＩＰｖ４の送信階層アドレスを割り当てることができ、ＨｅＮＢ ＧＷによってそれぞれのベアラーに割り当てられた送信階層アドレス及びアップリンクＴＥＩＤを第３ベアラーセットアップリクエストメッセージを通じてＨｅＮＢに送信する。ＨｅＮＢ ＧＷがＩＰｖ４をサポートしない場合、ＨｅＮＢ ＧＷは失敗応答をＭＭＥに送信する。失敗応答が失敗理由を含み、例えば、送信階層アドレスがサポートされない。
【００７６】
ＭＭＥからＨｅＮＢ ＧＷによって受信されるリクエストメッセージに含まれた送信階層アドレスがＩＰｖ６であり、ＨｅＮＢ ＧＷがＩＰｖ６をサポートする場合、ＨｅＮＢ ＧＷはＩＰｖ６の送信階層アドレスを割り当てることができ、ＨｅＮＢ ＧＷによってそれぞれのベアラーに割り当てられた送信階層アドレス及びアップリンクＴＥＩＤを第３ベアラーセットアップリクエストメッセージを通じてＨｅＮＢに送信する。ＨｅＮＢ ＧＷがＩＰｖ６をサポートしない場合、ＨｅＮＢ ＧＷは失敗応答をＭＭＥに送信する。失敗応答が失敗理由を含み、例えば、送信階層アドレスがサポートされない。
【００７７】
ＭＭＥからＨｅＮＢ ＧＷによって受信されるリクエストメッセージ内の送信階層アドレスがＩＰｖ４アドレス及びＩＰｖ６アドレスのいずれもを含む場合、ＨｅＮＢ ＧＷはＨｅＮＢ ＧＷによってサポートされたＩＰバージョンによってＩＰｖ４またはＩＰｖ６を選択し、選択されたＩＰバージョンに対応する送信階層アドレスを割り当てて、ＨｅＮＢ ＧＷによってそれぞれのベアラーに割り当てられた送信階層アドレス及びアップリンクＴＥＩＤを第３ベアラーセットアップリクエストメッセージを通じてＨｅＮＢに送信する。ＨｅＮＢ ＧＷがＩＰｖ４をサポートする場合、ＩＰｖ４が選択される。ＨｅＮＢ ＧＷがＩＰｖ６をサポートする場合にはＩＰｖ６が選択される。ＨｅＮＢ ＧＷがＩＰｖ４及びＩＰｖ６のいずれもをサポートする場合、ＨｅＮＢ ＧＷは具現またはＯ＆Ｍ構成によってＩＰｖ４またはＩＰｖ６を選択する。
【００７８】
ＩＰｖ４及びＩＰｖ６のうちのいずれか１つを選択する時、ＨｅＮＢ ＧＷはＵＥが接続されるＨｅＮＢ及びＨｅＮＢ ＧＷによってサポートされるＩＰバージョンを考慮することができる。ＭＭＥからＨｅＮＢ ＧＷによって受信されるリクエストメッセージ内の送信階層アドレスがＩＰｖ４であり、ＵＥが接続されるＨｅＮＢ及びＨｅＮＢ ＧＷがＩＰｖ４をサポートする場合、ＨｅＮＢ ＧＷはＩＰｖ４の送信階層アドレスを割り当てて、ＨｅＮＢ ＧＷによってそれぞれのベアラーに割り当てられた送信階層アドレス及びアップリンクＴＥＩＤを第３ベアラーセットアップリクエストメッセージを通じてＨｅＮＢに送信する。ＵＥが接続されるＨｅＮＢまたはＨｅＮＢ ＧＷがＩＰｖ４をサポートしない場合、ＨｅＮＢ ＧＷは失敗応答をＭＭＥに送信する。失敗応答が失敗理由を含み、例えば、送信階層アドレスがサポートされない。ＭＭＥからＨｅＮＢ ＧＷによって受信されるリクエストメッセージ内に含まれた送信階層アドレスがＩＰｖ６であり、ＵＥが接続されるＨｅＮＢ及びＨｅＮＢ ＧＷがＩＰｖ６をサポートする場合、ＨｅＮＢ ＧＷはＩＰｖ６の送信階層アドレスを割り当てて、ＨｅＮＢ ＧＷによってそれぞれのベアラーに割り当てられた送信階層アドレス及びアップリンクＴＥＩＤを第３ベアラーセットアップリクエストメッセージを通じてＨｅＮＢに送信する。ＵＥが接続されるＨｅＮＢまたはＨｅＮＢ ＧＷがＩＰｖ６をサポートしない場合、ＨｅＮＢ ＧＷは失敗応答をＭＭＥに送信する。失敗応答が失敗理由を含み、例えば、送信階層アドレスがサポートされない。ＭＭＥからＨｅＮＢ ＧＷによって受信されるリクエストメッセージ内に含まれた送信階層アドレスがＩＰｖ４アドレス及びＩＰｖ６アドレスのいずれもを含む場合、ＨｅＮＢ ＧＷはＨｅＮＢ ＧＷによってサポートされたＩＰバージョンによってＩＰｖ４またはＩＰｖ６を選択し、選択されたＩＰバージョンに対応する送信階層アドレスを割り当てて、ＨｅＮＢ ＧＷによってそれぞれのベアラーに割り当てられた送信階層アドレス及びアップリンクＴＥＩＤを第３ベアラーセットアップリクエストメッセージを通じてＨｅＮＢに送信する。ＵＥが接続するＨｅＮＢ及びＨｅＮＢ ＧＷがＩＰｖ４をサポートする場合、ＨｅＮＢ ＧＷはＩＰｖ４を選択する。ＵＥが接続されるＨｅＮＢ及びＨｅＮＢ ＧＷがＩＰｖ６をサポートする場合、ＨｅＮＢ ＧＷはＩＰｖ６を選択する。ＵＥが接続されるＨｅＮＢ及びＨｅＮＢ ＧＷがＩＰｖ４及びＩＰｖ６のいずれもをサポートする場合、ＨｅＮＢ ＧＷは具現またはＯ＆Ｍ構成によってＩＰｖ４またはＩＰｖ６を選択する。
【００７９】
ユーザ平面データがＨｅＮＢ ＧＷを通せずＳＧＷからＨｅＮＢに直接送信される場合に、ＭＭＥからＨｅＮＢ ＧＷによって受信されるリクエストメッセージ内に含まれた送信階層アドレスがＩＰｖ４であり、ＵＥのＨｅＮＢがＩＰｖ４をサポートすれば、ＨｅＮＢ ＧＷはＩＰｖ４の送信階層アドレスと、ＭＭＥからＨｅＮＢに送信される第３ベアラーセットアップリクエストメッセージに受信されるアップリンクＴＥＩＤを含む。ＵＥのＨｅＮＢがＩＰｖ４をサポートしない場合、ＨｅＮＢ ＧＷは失敗応答をＭＭＥに送信する。失敗応答が失敗理由を含み、例えば、送信階層アドレスがサポートされない。ＭＭＥからＨｅＮＢ ＧＷによって受信されるリクエストメッセージ内に含まれた送信階層アドレスがＩＰｖ６であり、ＵＥのＨｅＮＢがＩＰｖ６をサポートする場合、ＨｅＮＢ ＧＷはＩＰｖ６の送信階層アドレスと、ＭＭＥからＨｅＮＢに送信される第３ベアラーセットアップリクエストメッセージに受信されるアップリンクＴＥＩＤを含む。ＵＥのＨｅＮＢがＩＰｖ６をサポートしない場合、ＨｅＮＢ ＧＷは失敗応答をＭＭＥに送信する。失敗応答が失敗理由を含み、例えば、送信階層アドレスがサポートされない。ＭＭＥからＨｅＮＢ ＧＷによって受信されるリクエスト内に含まれた送信階層アドレスがＩＰｖ４アドレス及びＩＰｖ６アドレスのいずれもを含む場合、ＨｅＮＢ ＧＷはＵＥのＨｅＮＢによりサポートされたＩＰバージョンによってＩＰｖ４またはＩＰｖ６を選択し、選択されたＩＰバージョンの送信階層アドレスと、ＭＭＥからＨｅＮＢに送信される第３ベアラーセットアップリクエストメッセージに受信されるアップリンクＴＥＩＤを含む。ＵＥのＨｅＮＢがＩＰｖ４をサポートする場合、ＨｅＮＢ ＧＷはＩＰｖ４を選択する。ＵＥのＨｅＮＢがサポートする場合、ＨｅＮＢ ＧＷはＩＰｖ６を選択する。ＵＥのＨｅＮＢがＩＰｖ４及びＩＰｖ６のいずれもをサポートする場合、ＨｅＮＢ ＧＷは具現またはＯ＆Ｍ構成によってＩＰｖ４またはＩＰｖ６を選択する。
【００８０】
ユーザ平面データがＳＧＷからＨｅＮＢ ＧＷを通じてＨｅＮＢに送信される場合に、ＨｅＮＢ ＧＷがＩＰｖ４及びＩＰｖ６のいずれもをサポートすれば、ＨｅＮＢ ＧＷは次のようにＨｅＮＢ ＧＷとＭＭＥ間のユーザ平面及びＨｅＮＢ ＧＷとＨｅＮＢ間のユーザ平面に対して相違するＩＰのバージョンを使用することができる。
【００８１】
ＨｅＮＢ ＧＷとＭＭＥ間のインターフェースに対するＩＰｖ４アドレス及びＩＰｖ６アドレスのいずれか１つを選択する時、ＨｅＮＢ ＧＷはＨｅＮＢ ＧＷ及びＭＭＥによってサポートされるＩＰバージョンを考慮することができる。ＭＭＥからＨｅＮＢ ＧＷによって受信されるリクエストメッセージ内に含まれた送信階層アドレスがＩＰｖ４であり、ＨｅＮＢ ＧＷがＩＰｖ４をサポートする場合、ＨｅＮＢ ＧＷはダウンリンクのためにＩＰｖ４の送信階層アドレスを割り当てる。ＨｅＮＢ ＧＷがＩＰｖ４をサポートしない場合、ＨｅＮＢ ＧＷは失敗応答をＭＭＥに送信する。失敗応答が失敗理由を含み、例えば、送信階層アドレスがサポートされない。ＭＭＥからＨｅＮＢ ＧＷによって受信されるリクエストメッセージ内に含まれた送信階層アドレスがＩＰｖ６であり、ＨｅＮＢ ＧＷがＩＰｖ６をサポートする場合、ＨｅＮＢ ＧＷはダウンリンクのためにＩＰｖ６の送信階層アドレスを割り当てる。ＨｅＮＢ ＧＷがＩＰｖ６をサポートしない場合、ＨｅＮＢ ＧＷは失敗応答をＭＭＥに送信する。失敗応答が失敗理由を含み、例えば、送信階層アドレスがサポートされない。ＭＭＥからＨｅＮＢ ＧＷによって受信されるリクエストメッセージ内に含まれた送信階層アドレスがＩＰｖ４アドレス及びＩＰｖ６アドレスのいずれもを含む場合、ＨｅＮＢ ＧＷはＨｅＮＢ ＧＷによってサポートされたＩＰバージョンによってＩＰｖ４またはＩＰｖ６を選択し、選択されたＩＰバージョンに対応する送信階層アドレスを割り当てる。ＨｅＮＢ ＧＷがＩＰｖ４をサポートする場合、ＨｅＮＢ ＧＷはＩＰｖ４を選択する。ＨｅＮＢ ＧＷがＩＰｖ６をサポートする場合、ＨｅＮＢ ＧＷはＩＰｖ６を選択する。ＨｅＮＢ ＧＷがＩＰｖ４及びＩＰｖ６のいずれもをサポートする場合、ＨｅＮＢ ＧＷは具現またはＯ＆Ｍ構成によってＩＰｖ４またはＩＰｖ６を選択する。
【００８２】
ＨｅＮＢ ＧＷとＨｅＮＢ間のインターフェースに対するＩＰｖ４アドレス及びＩＰｖ６アドレスのうちのいずれか１つを選択する時、ＨｅＮＢ ＧＷはＵＥのＨｅＮＢ ＧＷ及びＨｅＮＢによりサポートされるＩＰバージョンを考慮することができる。ＨｅＮＢ ＧＷ及びＨｅＮＢのいずれもがＩＰｖ４だけをサポートする場合、ＨｅＮＢ ＧＷはインターフェースのためのＩＰｖ４を選択する。ＨｅＮＢ ＧＷはインターフェースのためのアップリンク送信階層アドレスを割り当てて、アップリンク送信階層アドレスをＨｅＮＢに送信する。ＨｅＮＢ ＧＷ及びＨｅＮＢのいずれもがＩＰｖ６だけをサポートする場合、ＨｅＮＢ ＧＷはインターフェースのためのＩＰｖ６を選択する。ＨｅＮＢ ＧＷはインターフェースのためのアップリンク送信階層アドレスを割り当てて、アップリンク送信階層アドレスをＨｅＮＢに送信する。ＨｅＮＢ ＧＷ及びＨｅＮＢのいずれもがＩＰｖ４及びＩＰｖ６をサポートする場合、ＨｅＮＢ ＧＷは具現またはＯ＆Ｍ構成によってＩＰｖ４またはＩＰｖ６を選択する。ＨｅＮＢ ＧＷはインターフェースのためのアップリンク送信階層アドレスを割り当てて、アップリンク送信階層アドレスをＨｅＮＢに送信する。ＨｅＮＢは受信された送信階層アドレスのバージョンによってダウンリンク送信階層アドレスを割り当てて、ダウンリンク送信階層アドレスをＨｅＮＢ ＧＷに送信する。
【００８３】
第３ベアラーセットアップリクエストメッセージは初期コンテクスト設定リクエストまたはＥ-ＲＡＢ設定リクエスト、若しくはハンドオーバーリクエスト、またはＳ１インターフェースを通じて用いられたベアラーセットアップリクエストのための他のメッセージであってもよい。
【００８４】
ＨｅＮＢは応答をＨｅＮＢ ＧＷに送信する。応答はそれぞれのベアラーに対してＨｅＮＢによって割り当てられた送信階層アドレス及びダウンリンクＴＥＩＤを含む。ＨｅＮＢ ＧＷからＨｅＮＢにより受信されるメッセージに含まれた送信階層アドレスがＩＰｖ４であり、ＨｅＮＢがＩＰｖ４をサポートする場合、ＨｅＮＢはＩＰｖ４の送信階層アドレスを割り当てて、割り当てられた送信階層アドレスを応答を通じてＨｅＮＢ ＧＷに送信することができる。ＨｅＮＢ ＧＷがＩＰｖ４をサポートしない場合、ＨｅＮＢは失敗応答をＨｅＮＢ ＧＷに送信する。失敗応答が失敗理由を含み、例えば送信階層アドレスがサポートされない。ＨｅＮＢ ＧＷからＨｅＮＢにより受信されるメッセージに含まれた送信階層アドレスがＩＰｖ６であり、ＨｅＮＢがＩＰｖ６をサポートする場合、ＨｅＮＢはＩＰｖ６の送信階層アドレスを割り当てて、割り当てられた送信階層アドレスを応答を通じてＨｅＮＢ ＧＷに送信することができる。ＨｅＮＢがＩＰｖ６をサポートしない場合、ＨｅＮＢは失敗応答をＨｅＮＢ ＧＷに送信する。失敗応答が失敗理由を含み、例えば、送信階層アドレスがサポートされない。
【００８５】
ユーザ平面データがＨｅＮＢ ＧＷを通せずＳＧＷからＨｅＮＢに直接送信される場合に、ＨｅＮＢ ＧＷはＨｅＮＢから受信されるそれぞれのベアラーに対してＨｅＮＢによって割り当てられた送信階層アドレス及びダウンリンクＴＥＩＤをＭＭＥに送信する。ＭＭＥはＨｅＮＢ ＧＷから受信されるそれぞれのベアラーの送信階層アドレス及びダウンリンクＴＥＩＤをＳＧＷに送信する。
【００８６】
ユーザ平面データがＳＧＷからＨｅＮＢ ＧＷを通じてＨｅＮＢに送信される場合に、ＨｅＮＢ ＧＷは ５０４で選択されたＩＰバージョンによる送信階層アドレス及び(ＨｅＮＢ ＧＷとＳＧＷ間のユーザ平面インターフェースに対する)ダウンリンクＴＥＩＤを割り当てて、ダウンリンクＴＥＩＤ及び送信階層アドレスをＭＭＥに送信する。ＭＭＥはＨｅＮＢ ＧＷから受信されるそれぞれのベアラーの送信階層アドレス及びダウンリンクＴＥＩＤをＳＧＷに送信する。
【００８７】
上述した方法を用いることによって、ＨｅＮＢがＨｅＮＢ ＧＷを通じてコアネットワークにアクセスし、ＳＡＥシステムがＩＰｖ４をサポートする装置及びＩＰｖ６をサポートする装置のいずれもを含む場合、ユーザ平面ベアラーは正確でかつ成功的に設立され、これにより相違する製造社間の相互操作性を保障し、ＭＭＥを修正することを回避することができる。ＨｅＮＢアーキテクチャーで、ユーザ平面データがＨｅＮＢ ＧＷを通せずＳＧＷからＨｅＮＢに直接送信される時、このような方法の長所はより明らかである。
【００８８】
図６は、本発明の実施形態によってユーザ平面ベアラーを設立するための第４方法を示したフローチャートである。
【００８９】
図６を参照すれば、ＭＭＥはＳＧＷから受信されるそれぞれのベアラーに対してＳＧＷによって割り当てられた送信階層アドレス及びアップリンクＴＥＩＤをＭｅＮＢ(ｍａｓｔｅｒ-ｅＮＢ)に直接送信する。ＭｅＮＢはＩＰｖ４またはＩＰｖ６のうちのいずれか１つを選択する。方法は、次のような処理を含む。
【００９０】
動作(６０１及び６０２)での処理はそれぞれ動作(３０１及び３０２)での処理と同様であり、これは本明細書で説明しない。
【００９１】
動作(６０３)で、ＭＭＥは第２ベアラーセットアップリクエストメッセージをＨｅＮＢに送信する。メッセージはＳＧＷから受信されるそれぞれのベアラーに対してＳＧＷによって割り当てられた送信階層アドレス及びアップリンクＴＥＩＤを含む。送信階層アドレスはＳＧＷから受信され、ＩＰｖ４アドレスまたはＩＰｖ６アドレス、若しくはＩＰｖ４アドレス及びＩＰｖ６アドレスのいずれもを含むことができる。第２ベアラー設定リクエストメッセージは初期コンテクスト設定リクエストまたはＥ-ＲＡＢ設定リクエスト、若しくはハンドオーバーリクエスト、またはＳ１インターフェースを通じて用いられたベアラーセットアップリクエストに対する他のメッセージであってもよい。
【００９２】
動作(６０４)で、ＭｅＮＢはＩＰｖ４アドレス及びＩＰｖ６アドレスのうちのいずれか１つを送信階層アドレスとして選択する。
【００９３】
ＭＭＥからＭｅＮＢにより受信されるリクエストメッセージに含まれた送信階層アドレスがＩＰｖ４であり、ＭｅＮＢがＩＰｖ４をサポートする場合、ＭｅＮＢはＩＰｖ４の送信階層アドレスを割り当てる。ＭｅＮＢはスプリット(ｓｐｌｉｔ)ベアラーに対してＭｅＮＢによって割り当てられた送信階層アドレス及びアップリンクＴＥＩＤを第３ベアラーセットアップリクエストメッセージを通じてＳｅＮＢ(ｓｅｃｏｎｄｌｙ ｅＮＢ)に送信する。ＭｅＮＢがＩＰｖ４をサポートしない場合、ＭｅＮＢは失敗応答をＭＭＥに送信する。失敗応答が失敗理由を含み、例えば、送信階層アドレスがサポートされない。ＭＭＥからＭｅＮＢにより受信されるリクエストメッセージに含まれた送信階層アドレスがＩＰｖ６であり、ＭｅＮＢがＩＰｖ６をサポートする場合、ＭｅＮＢはＩＰｖ６の送信階層アドレスを割り当てる。ＭｅＮＢはスプリットベアラーに対してＭｅＮＢによって割り当てられた送信階層アドレス及びアップリンクＴＥＩＤを第３ベアラーセットアップリクエストメッセージを通じてＳｅＮＢに送信する。ＭｅＮＢがＩＰｖ６をサポートしない場合、ＭｅＮＢは失敗応答をＭＭＥに送信する。失敗応答が失敗理由を含み、例えば、送信階層アドレスがサポートされない。
【００９４】
ＭＭＥからＭｅＮＢにより受信されるリクエストメッセージ内に含まれた送信階層アドレスがＩＰｖ４アドレス及びＩＰｖ６アドレスのいずれもを含む場合、ＭｅＮＢはＭｅＮＢによりサポートされたＩＰバージョンによってＩＰｖ４またはＩＰｖ６を選択し、選択されたＩＰバージョンに対応する送信階層アドレスを割り当てて、スプリットベアラーに対してＭｅＮＢによって割り当てられた送信階層アドレス及びアップリンクＴＥＩＤを第３ベアラーセットアップリクエストメッセージを通じてＳｅＮＢに送信する。ＭｅＮＢがＩＰｖ４をサポートする場合、ＩＰｖ４が選択される。ＭｅＮＢがＩＰｖ６をサポートする場合にはＩＰｖ６が選択される。ＭｅＮＢがＩＰｖ４及びＩＰｖ６のいずれもをサポートする場合、ＭｅＮＢは具現またはＯ＆Ｍ構成によってＩＰｖ４またはＩＰｖ６を選択する。
【００９５】
スプリットベアラーに対して、ＩＰｖ４及びＩＰｖ６のうちのいずれか１つを選択する時、ＭｅＮＢはＵＥのＳｅＮＢ及びＭｅＮＢによりサポートされるＩＰバージョンを考慮することができる。ＭＭＥからＭｅＮＢにより受信されるリクエストメッセージ内に含まれた送信階層アドレスがＩＰｖ４であり、ＵＥのＳｅＮＢ及びＭｅＮＢがＩＰｖ４をサポートする場合、ＭｅＮＢはＩＰｖ４の送信階層アドレスを割り当てて、スプリットベアラーに対してＭｅＮＢに割り当てられた送信階層アドレス及びアップリンクＴＥＩＤを第３ベアラーセットアップリクエストメッセージを通じてＳｅＮＢに送信する。ＵＥのＳｅＮＢまたはＭｅＮＢがＩＰｖ４をサポートしない場合、ＭｅＮＢは失敗応答をＭＭＥに送信する。失敗応答が失敗理由を含み、例えば、送信階層アドレスがサポートされない。ＭＭＥからＭｅＮＢにより受信されるリクエストメッセージ内に含まれた送信階層アドレスがＩＰｖ６であり、ＵＥのＳｅＮＢ及びＭｅＮＢがＩＰｖ６をサポートする場合、ＭｅＮＢはＩＰｖ６の送信階層アドレスを割り当てて、スプリットベアラーに対してＭｅＮＢによって割り当てられた送信階層アドレス及びアップリンクＴＥＩＤを第３ベアラーセットアップリクエストメッセージを通じてＳｅＮＢに送信する。ＵＥのＳｅＮＢまたはＭｅＮＢがＩＰｖ６をサポートしない場合、ＭｅＮＢは失敗応答をＭＭＥに送信する。失敗応答が失敗理由を含み、例えば、送信階層アドレスがサポートされない。ＭＭＥからＭｅＮＢにより受信されるリクエストメッセージ内に含まれた送信階層アドレスがＩＰｖ４アドレス及びＩＰｖ６アドレスのいずれもを含む場合、ＭｅＮＢはＵＥのＭｅＮＢ及びＳｅＮＢによりサポートされたＩＰバージョンによってＩＰｖ４またはＩＰｖ６を選択し、選択されたＩＰバージョンに対応する送信階層アドレスを割り当てて、ＭｅＮＢによってスプリットベアラーに対して割り当てられた送信階層アドレス及びアップリンクＴＥＩＤを第３ベアラーセットアップリクエストメッセージを通じてＳｅＮＢに送信する。ＵＥのＳｅＮＢ及びＭｅＮＢがＩＰｖ４をサポートする場合、ＭｅＮＢはＩＰｖ４を選択する。ＵＥのＳｅＮＢ及びＭｅＮＢがＩＰｖ６をサポートする場合、ＭｅＮＢはＩＰｖ６を選択する。ＵＥのＳｅＮＢ及びＭｅＮＢがＩＰｖ４及びＩＰｖ６のいずれもをサポートする場合、ＭｅＮＢは具現またはＯ＆Ｍ構成によってＩＰｖ４またはＩＰｖ６を選択する。
【００９６】
第２セルグループ(Ｓｅｃｏｎｄ Ｃｅｌｌ Ｇｒｏｕｐ；ＳＣＧ)に対して、ＩＰｖ４及びＩＰｖ６のうちのいずれか１つを選択する時、ＭｅＮＢはＵＥのＳｅＮＢによりサポートされるＩＰバージョンを考慮することができる。ＭＭＥからＭｅＮＢにより受信されるリクエストメッセージ内に含まれた送信階層アドレスがＩＰｖ４であり、ＵＥのＳｅＮＢがＩＰｖ４をサポートする場合、ＭｅＮＢはＭＭＥから受信されたＩＰｖ４の送信階層アドレスを第３ベアラーセットアップリクエストメッセージを通じてＳｅＮＢに送信する。ＵＥのＳｅＮＢがＩＰｖ４をサポートしない場合、ＭｅＮＢは失敗応答をＭＭＥに送信する。失敗応答が失敗理由を含み、例えば、送信階層アドレスがサポートされない。ＭＭＥからＭｅＮＢにより受信されるリクエストメッセージ内に含まれた送信階層アドレスがＩＰｖ６であり、ＵＥのＳｅＮＢがＩＰｖ６をサポートする場合、ＭｅＮＢはＭＭＥから受信されたＩＰｖ６の送信階層アドレスを第３ ベアラーセットアップリクエストメッセージを通じてＳｅＮＢに送信する。ＵＥのＳｅＮＢがＩＰｖ６をサポートしない場合、ＭｅＮＢは失敗応答をＭＭＥに送信する。失敗応答が失敗理由を含み、例えば、送信階層アドレスがサポートされない。ＭＭＥからＭｅＮＢにより受信されるリクエストメッセージ内に含まれた送信階層アドレスがＩＰｖ４アドレス及びＩＰｖ６アドレスのいずれもを含む場合、ＭｅＮＢはＵＥのＳｅＮＢによりサポートされたＩＰバージョンによってＩＰｖ４またはＩＰｖ６を選択し、選択された送信階層アドレスを第３ベアラーセットアップリクエストメッセージを通じてＳｅＮＢに送信する。ＵＥのＳｅＮＢがＩＰｖ４をサポートする場合、ＭｅＮＢはＩＰｖ４を選択する。ＵＥのＳｅＮＢがＩＰｖ６をサポートする場合、ＭｅＮＢはＩＰｖ６を選択する。ＵＥのＳｅＮＢがＩＰｖ４及びＩＰｖ６のいずれもをサポートする場合、ＭｅＮＢは具現またはＯ＆Ｍ構成によってＩＰｖ４またはＩＰｖ６を選択する。
【００９７】
スプリットベアラーに対して、ＭｅＮＢがＩＰｖ４及びＩＰｖ６のいずれもをサポートすれば、ＭｅＮＢは次のようにＳ１インターフェース(すなわち、ＭｅＮＢとＳＧＷ間のユーザ平面及びＸ２インターフェース(すなわち、ＭｅＮＢとＳｅＮＢ間のユーザ平面))に対して相違するＩＰのバージョンを用いるように選択することができる。
【００９８】
Ｓ１インターフェースに対するＩＰｖ４アドレス及びＩＰｖ６アドレスのうちのいずれか１つを選択する時、ＭｅＮＢはＭｅＮＢによりサポートされるＩＰバージョンを考慮することができる。ＭＭＥからＭｅＮＢにより受信されるリクエストメッセージ内に含まれた送信階層アドレスがＩＰｖ４であり、ＭｅＮＢがＩＰｖ４をサポートする場合、ＭｅＮＢはＳ１インターフェースに対するＩＰｖ４のダウンリンク送信階層アドレスを割り当てる。ＭｅＮＢがＩＰｖ４をサポートしない場合、ＭｅＮＢは失敗応答をＭＭＥに送信する。失敗応答が失敗理由を含み、例えば、送信階層アドレスがサポートされない。ＭＭＥからＭｅＮＢにより受信されるリクエストメッセージ内に含まれた送信階層アドレスがＩＰｖ６であり、ＭｅＮＢがＩＰｖ６をサポートする場合、ＭｅＮＢはＳ１インターフェースに対するＩＰｖ６のダウンリンク送信階層アドレスを割り当てる。ＭｅＮＢがＩＰｖ６をサポートしない場合、ＭｅＮＢは失敗応答をＭＭＥに送信する。失敗応答が失敗理由を含み、例えば、送信階層アドレスがサポートされない。ＭＭＥからＭｅＮＢにより受信されるリクエストメッセージ内に含まれた送信階層アドレスがＩＰｖ４アドレス及びＩＰｖ６アドレスのいずれもを含む場合、ＭｅＮＢはＭｅＮＢによりサポートされたＩＰバージョンによってＩＰｖ４またはＩＰｖ６を選択し、選択されたＩＰバージョンに対応するダウンリンク送信階層アドレスを割り当てる。ＭｅＮＢがＩＰｖ４をサポートする場合、ＭｅＮＢはＩＰｖ４を選択する。ＭｅＮＢがＩＰｖ６をサポートする場合、ＭｅＮＢはＩＰｖ６を選択する。ＭｅＮＢがＩＰｖ４及びＩＰｖ６のいずれもをサポートする場合、ＭｅＮＢは具現またはＯ＆Ｍ構成によってＩＰｖ４またはＩＰｖ６を選択する。
【００９９】
Ｘ２インターフェースに対するＩＰｖ４アドレス及びＩＰｖ６アドレスのうちのいずれか１つを選択する時、ＭｅＮＢはＵＥのＭｅＮＢ及びＳｅＮＢによりサポートされるＩＰバージョンを考慮することができる。ＭｅＮＢ及びＳｅＮＢのいずれもがＩＰｖ４だけをサポートする場合、ＭｅＮＢはＸ２インターフェースのためのＩＰｖ４を選択する。ＭｅＮＢはＸ２インターフェースのためのアップリンク送信階層アドレスを割り当てて、アップリンク送信階層アドレスをＳｅＮＢに送信する。ＭｅＮＢ及びＳｅＮＢのいずれもがＩＰｖ６だけをサポートする場合、ＭｅＮＢはＸ２インターフェースのためのＩＰｖ６を選択する。ＭｅＮＢはＸ２インターフェースのためのアップリンク送信階層アドレスを割り当てて、アップリンク送信階層アドレスをＳｅＮＢに送信する。ＭｅＮＢ及びＳｅＮＢのいずれもがＩＰｖ４及びＩＰｖ６をサポートする場合、ＭｅＮＢは具現またはＯ＆Ｍ構成によってＩＰｖ４またはＩＰｖ６を選択する。ＭｅＮＢはＸ２インターフェースのためのアップリンク送信階層アドレスを割り当てて、アップリンク送信階層アドレスをＳｅＮＢに送信する。ＳｅＮＢは受信された送信階層アドレスのバージョンによってＸ２インターフェースのためのダウンリンク送信階層アドレスを割り当てて、ダウンリンク送信階層アドレスをＭｅＮＢに送信する。
【０１００】
ＭｅＮＢはＳｅＮＢによって第３ベアラーセットアップリクエストメッセージ内に使用されるＩＰバージョンを含むことができる。
【０１０１】
第３ベアラーセットアップリクエストメッセージはＳｅＮＢ追加リクエスト(ＡｄｄｉｔｉｏｎＲｅｑｕｅｓｔ)、またはハンドオーバーリクエスト、若しくはＸ２インターフェースを通じて用いられたベアラーセットアップリクエストのための他のメッセージであってもよい。
【０１０２】
ＳｅＮＢは応答をＭｅＮＢに送信する。応答はＳｅＮＢによって割り当てられるダウンリンクＴＥＩＤ及び送信階層アドレスを含む。ＳｅＮＢはＭｅＮＢから受信されるリクエストメッセージに含まれた使用されるＩＰバージョン、またはＭｅＮＢから受信されるリクエストメッセージに含まれたＩＰｖ４またはＩＰｖ６の送信階層アドレスによって割り当てられる必要がある送信階層アドレスバージョンが分かっている。割り当てられる必要がある送信階層アドレスがＩＰｖ４であり、ＳｅＮＢがＩＰｖ４をサポートする場合、ＳｅＮＢはＩＰｖ４の送信階層アドレスを割り当てることができ、ＩＰｖ４の送信階層アドレスを応答を通じてＭｅＮＢに送信する。ＳｅＮＢがＩＰｖ４をサポートしない場合、ＳｅＮＢは失敗応答をＭｅＮＢに送信する。失敗応答が失敗理由を含み、例えば、送信階層アドレスがサポートされない。割り当てられる必要がある送信階層アドレスがＩＰｖ６であり、ＳｅＮＢがＩＰｖ６をサポートする場合、ＳｅＮＢはＩＰｖ６の送信階層アドレスを指定することができ、ＩＰｖ６の送信階層アドレスを応答を通じてＭｅＮＢに送信する。ＳｅＮＢがＩＰｖ６をサポートしない場合、ＳｅＮＢは失敗応答をＭｅＮＢに送信する。失敗応答が失敗理由を含み、例えば、送信階層アドレスがサポートされない。
【０１０３】
スプリットベアラーに対して、ＭｅＮＢはＳ１インターフェースのＤＬ ＴＥＩＤ及びＳ１インターフェースに対してＭｅＮＢによって選択されたＩＰバージョンによる送信階層アドレスを指定し、Ｓ１インターフェースのＴＥＩＤ及び送信階層アドレスをＭＭＥに送信する。ＭＭＥはＭｅＮＢから受信されるベアラーのＴＥＩＤ及び送信階層アドレスをＳＧＷに送信する。
【０１０４】
ＳＣＧベアラーに対して、ＭｅＮＢはＳｅＮＢから受信されるベアラーのＴＥＩＤ及び送信階層アドレスをＭＭＥに送信する。ＭＭＥはＭｅＮＢから受信されるベアラーのＴＥＩＤ及び送信階層アドレスをＳＧＷに送信する。
【０１０５】
上述した方法を用いることによって、ＳＡＥシステムがＩＰｖ４をサポートする装置及びＩＰｖ６をサポートする装置のいずれもを含む場合、ユーザ平面ベアラーは正確でかつ成功的に設立され、これにより相違する製造社間の相互操作性を保障し、ＭＭＥを修正することを回避することができる。
【０１０６】
図７は、本発明の実施形態によってユーザ平面ベアラーを設立するための第５方法を示したフローチャートである。
【０１０７】
図７を参照すれば、ＭＭＥはＳＧＷから受信されるそれぞれのベアラーに対してＳＧＷによって指定された送信階層アドレス及びアップリンクＴＥＩＤをＭｅＮＢに直接送信する。ＭｅＮＢはＭＭＥから受信されるそれぞれのベアラーに対してＳＧＷによって指定された送信階層アドレス及びアップリンクＴＥＩＤをＳｅＮＢに送信する。ＳｅＮＢはＩＰｖ４またはＩＰｖ６のうちのいずれか１つを選択する。方法は、次のような処理を含む。
【０１０８】
動作(７０１及び７０２)での処理はそれぞれ動作(３０１及び３０２)での処理と同様であり、これは本明細書で説明しない。
【０１０９】
動作(７０３)で、ＭＭＥは第２ベアラーセットアップリクエストメッセージをＭｅＮＢに送信する。メッセージはＳＧＷから受信されるそれぞれのベアラーに対してＳＧＷによって指定された送信階層アドレス及びアップリンクＴＥＩＤを含む。送信階層アドレスはＳＧＷから受信され、ＩＰｖ４アドレスまたはＩＰｖ６アドレス、若しくはＩＰｖ４アドレス及びＩＰｖ６アドレスのいずれもを含むことができる。第２ベアラーセットアップリクエストメッセージは初期コンテクスト設定リクエストまたはＥ-ＲＡＢ設定リクエスト、若しくはハンドオーバーリクエスト、またはＳ１インターフェースを通じて用いられたベアラーセットアップリクエストに対する他のメッセージであってもよい。
【０１１０】
動作(７０４)で、ＭｅＮＢは第３ベアラーセットアップリクエストメッセージをＳｅＮＢに送信する。ＳＣＧベアラーに対して、メッセージはＭＭＥから受信されるアップリンクＴＥＩＤ及び送信階層アドレスを含む。送信階層アドレスはＭＭＥから受信され、ＩＰｖ４ アドレスまたはＩＰｖ６アドレス、若しくはＩＰｖ４アドレス及びＩＰｖ６アドレスのいずれもを含むことができる。
【０１１１】
第３ベアラーセットアップリクエストメッセージはＳｅＮＢ追加リクエスト、またはハンドオーバーリクエスト、若しくはＸ２インターフェースを通じて用いられたベアラーセットアップリクエストのための他のメッセージであってもよい。
【０１１２】
動作(７０５)で、ＳｅＮＢは応答をＭｅＮＢに送信する。応答はＳｅＮＢによって指定される送信階層アドレス及びダウンリンクＴＥＩＤを含む。
【０１１３】
ＭｅＮＢからＳｅＮＢにより受信されるリクエストメッセージに含まれた送信階層アドレスがＩＰｖ４であり、ＳｅＮＢがＩＰｖ４をサポートする場合、ＳｅＮＢはＩＰｖ４の送信階層アドレスを指定し、送信階層アドレスを応答を通じてＭｅＮＢに送信する。ＳｅＮＢがＩＰｖ４をサポートしない場合、ＳｅＮＢは失敗応答をＭｅＮＢに送信する。失敗応答が失敗理由を含み、例えば、送信階層アドレスがサポートされない。ＭｅＮＢからＳｅＮＢにより受信されるリクエストメッセージに含まれた送信階層アドレスがＩＰｖ６であり、ＳｅＮＢがＩＰｖ６をサポートする場合、ＳｅＮＢはＩＰｖ６の送信階層アドレスを指定し、送信階層アドレスを応答を通じてＭｅＮＢに送信する。ＳｅＮＢがＩＰｖ６をサポートしない場合、ＳｅＮＢは失敗応答をＭｅＮＢに送信する。失敗応答が失敗理由を含み、例えば、送信階層アドレスがサポートされない。ＳｅＮＢにより受信されるリクエストに含まれた送信階層アドレスがＩＰｖ４アドレス及びＩＰｖ６アドレスのいずれもを含む場合、ＳｅＮＢはＳｅＮＢによりサポートされたＩＰバージョンによってＩＰｖ４またはＩＰｖ６を選択し、選択されたＩＰバージョンに対応する送信階層アドレスを指定する。ＳｅＮＢがＩＰｖ４をサポートする場合、ＩＰｖ４が選択される。ＳｅＮＢがＩＰｖ６をサポートする場合にはＩＰｖ６が選択される。ＳｅＮＢがＩＰｖ４及びＩＰｖ６のいずれもをサポートする場合、ＳｅＮＢは具現またはＯ＆Ｍ構成によってＩＰｖ４またはＩＰｖ６を選択する。
【０１１４】
スプリットベアラーに対して、ＩＰｖ４及びＩＰｖ６のうちのいずれか１つを選択する時、ＳｅＮＢはＳｅＮＢ及びＭｅＮＢによりサポートされるＩＰバージョンを考慮することができる。ＭｅＮＢからＳｅＮＢにより受信されるリクエストメッセージ内に含まれた送信階層アドレスがＩＰｖ４であり、ＳｅＮＢ及びＭｅＮＢのいずれもがＩＰｖ４をサポートする場合、ＳｅＮＢはＩＰｖ４の送信階層アドレスを指定し、ＩＰｖ４の送信階層アドレスを応答を通じてＭｅＮＢに送信する。ＳｅＮＢまたはＭｅＮＢがＩＰｖ４をサポートしない場合、ＳｅＮＢは失敗応答をＭｅＮＢに送信する。ＭｅＮＢからＳｅＮＢにより受信されるリクエストメッセージ内に含まれた送信階層アドレスがＩＰｖ６であり、ＳｅＮＢ及びＭｅＮＢがＩＰｖ６をサポートする場合、ＳｅＮＢはＩＰｖ６の送信階層アドレスを指定し、ＩＰｖ６の送信階層アドレスを応答を通じてＭｅＮＢに送信する。ＳｅＮＢまたはＭｅＮＢがＩＰｖ６をサポートしない場合、ＳｅＮＢは失敗応答をＭｅＮＢに送信する。失敗応答が失敗理由を含み、例えば、送信階層アドレスがサポートされない。ＭｅＮＢからＳｅＮＢにより受信されるリクエストメッセージ内に含まれた送信階層アドレスがＩＰｖ４アドレス及びＩＰｖ６アドレスのいずれもを含む場合、ＳｅＮＢはＭｅＮＢ及びＳｅＮＢによりサポートされたＩＰバージョンによってＩＰｖ４またはＩＰｖ６を選択し、選択されたＩＰバージョンに対応する送信階層アドレスを指定する。ＳｅＮＢ及びＭｅＮＢのいずれもがＩＰｖ４をサポートする場合、ＳｅＮＢはＩＰｖ４を選択する。ＳｅＮＢ及びＭｅＮＢのいずれもがＩＰｖ６をサポートする場合、ＳｅＮＢはＩＰｖ６を選択する。ＳｅＮＢ及びＭｅＮＢがＩＰｖ４及びＩＰｖ６のいずれもをサポートする場合、ＳｅＮＢは具現またはＯ＆Ｍ構成によってＩＰｖ４またはＩＰｖ６を選択する。  
【０１１５】
ＩＰｖ４アドレス及びＩＰｖ６アドレスのいずれもが受信されても、送信階層アドレスバージョンを選択した後、ＳｅＮＢはＳＧＷによって指定されたアップリンクＴＥＩＤ及びＳｅＮＢによって選択されたＩＰアドレスに対応する送信階層アドレスによってＳＧＷにアップリンクデータを送信する。
【０１１６】
スプリットベアラーに対して、ＭｅＮＢはＳ１インターフェースに対してＭｅＮＢによって選択されたＩＰバージョンによってＳ１インターフェースのＴＥＩＤ及び送信階層アドレスを指定し、Ｓ１インターフェースのＴＥＩＤ及び送信階層アドレスをＭＭＥに送信する。ＭＭＥはＭｅＮＢから受信されるベアラーのＴＥＩＤ及び送信階層アドレスをＳＧＷに送信する。
【０１１７】
ＳＣＧベアラーに対して、ＭｅＮＢはＳｅＮＢから受信されるベアラーのＴＥＩＤ及び送信階層アドレスをＭＭＥに送信する。ＭＭＥはＭｅＮＢから受信されるベアラーのＴＥＩＤ及び送信階層アドレスをＳＧＷに送信する。
【０１１８】
ＳＧＷがＩＰｖ４アドレスとＩＰｖ６アドレスを同時にＭＭＥに送信する場合、ＳＧＷはダウンリンク送信階層アドレスを受信した後、ｅＮＢによりサポートされたり選択されるＩＰバージョンが分かっている。ダウンリンクデータを送信する場合、ＳＧＷはダウンリンクＴＥＩＤ及び送信階層アドレスを通じてダウンリンクデータを送信する。アップリンクデータを受信する場合、ＳＧＷはＳＧＷによって指定されたＴＥＩＤと対応するバージョンの送信階層アドレスを通じてアップリンクデータを受信する。
【０１１９】
上述した方法を用いることによって、ＳＡＥシステムがＩＰｖ４をサポートする装置及びＩＰｖ６をサポートする装置のいずれもを含む場合、ユーザ平面ベアラーは正確でかつ成功的に設立され、これにより相違する製造社間の相互操作性を保障し、ＭＭＥを修正することを回避することができる。
【０１２０】
図８は、本発明の実施形態によってユーザ平面ベアラーを設立するための第６方法を示したフローチャートである。
【０１２１】
図８を参照すれば、二重接続(Ｄｕａｌ ｃｏｎｎｅｃｔｉｖｉｔｙ；ＤＣ)シナリオで、ベアラーはＭｅＮＢまたはＳｅＮＢに設立され、ベアラーはＭｅＮＢからＳｅＮＢに変更されたりＳｅＮＢで新しいＳｅＮＢに変更される必要がある。ＭｅＮＢは新しいＳｅＮＢのユーザ平面の送信階層アドレスのＩＰｖ４またはＩＰｖ６を選択する。新しいＳｅＮＢのユーザ平面は新しいＳｅＮＢとＳＧＷ間のインターフェース(ＳＣＧベアラーの場合)またはＳｅＮＢとＭｅＮＢ間のインターフェース(スプリットベアラーの場合)であることができる。このような方法は、次の処理を含む。
【０１２２】
動作(８０１)で、ＭｅＮＢはＳｅＮＢ追加を決定したりＵＥの特定ベアラーがＳｅＮＢで新しいＳｅＮＢでハンドオーバーされることを決定する。ハンドオーバーされるベアラーの場合、ベアラーを設立するプロセスでＭＭＥからＭｅＮＢにより受信される送信階層アドレスが初期にＩＰｖ４(またはＩＰｖ６)だけを含み、ハンドオーバーのターゲットＳｅＮＢがさらにＩＰｖ４(またはＩＰｖ６)をサポートする場合、ベアラーはターゲットＳｅＮＢに設立されることができる。ＭｅＮＢはターゲットＳｅＮＢとＳＧＷ間のＩＰｖ４(またはＩＰｖ６)の送信階層アドレスを用いるために選択する。
【０１２３】
ハンドオーバーされるＳＣＧベアラーに対して、ＭｅＮＢはターゲットｅＮＢとＳＧＷ間に用いられるようにソースＭｅＮＢとＳＧＷ間のＩＰバージョンまたはソースＳｅＮＢとＳＧＷ間のＩＰバージョンを選択することができ、使用されるＩＰバージョンをターゲットＳｅＮＢに通知する。ＭｅＮＢは情報要素によって使用されるＩＰバージョンをターゲットＳｅＮＢに通知することができるとか、アップリンクＴＥＩＤ及び送信階層アドレスを用いることによって使用されるＩＰバージョンをターゲットＳｅＮＢに暗示的に通知することができる。送信階層アドレスがＩＰｖ４の場合、ターゲットＳｅＮＢはＩＰｖ４の送信階層アドレスを指定する必要がある。送信階層アドレスがＩＰｖ６の場合、ターゲットＳｅＮＢはＩＰｖ６の送信階層アドレスを指定する必要がある。
【０１２４】
スプリットベアラーの場合、ＭｅＮＢはＭｅＮＢとＳＧＷ間で用いられるＭｅＮＢとターゲットＳｅＮＢ間の送信階層アドレスのＩＰバージョンを選択することができる。ＭｅＮＢは情報要素によって使用されるＩＰバージョンをターゲットＳｅＮＢに通知することができるとか、アップリンクＴＥＩＤ及び送信階層アドレスを用いることによって使用されるＩＰバージョンをターゲットＳｅＮＢに暗示的に通知することができる。送信階層アドレスがＩＰｖ４の場合、ターゲットＳｅＮＢはデータ伝達のためにＩＰｖ４の送信階層アドレスを指定する必要がある。送信階層アドレスがＩＰｖ６の場合、ターゲットＳｅＮＢはデータ伝達のためにＩＰｖ６の送信階層アドレスを指定する必要がある。
【０１２５】
ハンドオーバーされるベアラーの場合、ベアラーを設立するプロセスでＭＭＥからＭｅＮＢにより受信される送信階層アドレスが初期のＩＰｖ４アドレス及びＩＰｖ６アドレスのいずれもを含む場合、ＳＣＧベアラーに対して、ＭｅＮＢはターゲットＳｅＮＢによりサポートされたＩＰバージョンによってターゲットＳｅＮＢとＳＧＷ間のインターフェースに使用されるＩＰバージョンを選択する。ターゲットＳｅＮＢがＩＰｖ４をサポートする場合、ＭｅＮＢはＩＰｖ４を選択する。ターゲットＳｅＮＢがＩＰｖ６をサポートする場合、ＭｅＮＢはＩＰｖ６を選択する。ターゲットＳｅＮＢがＩＰｖ４及びＩＰｖ６のいずれもをサポートする場合、ＭｅＮＢは具現またはＯ＆Ｍ構成によってＩＰｖ４またはＩＰｖ６を選択する。ターゲットＳｅＮＢがＩＰｖ４及びＩＰｖ６のいずれもをサポートする場合、ＭｅＮＢはソースＭｅＮＢとＳＧＷ間に用いられたＩＰバージョンまたはソースＳｅＮＢとＳＧＷ間に使用されたＩＰバージョンを選択することができる。
【０１２６】
ハンドオーバーされるベアラーの場合、ベアラーを設立するプロセスでＭＭＥからＭｅＮＢにより受信される送信階層アドレスが初期のＩＰｖ４アドレス及びＩＰｖ６アドレスのいずれもを含む場合、ＭｅＮＢはターゲットＳｅＮＢ及びＭｅＮＢによりサポートされたＩＰバージョンによってターゲットＳｅＮＢとＭｅＮＢ間のインターフェースに使用されるＩＰバージョンを選択する。ターゲットＳｅＮＢ及びＭｅＮＢがＩＰｖ４をサポートする場合、ＭｅＮＢはＩＰｖ４を選択する。ターゲットＳｅＮＢ及びＭｅＮＢがＩＰｖ６をサポートする場合、ＭｅＮＢはＩＰｖ６を選択する。ターゲットＳｅＮＢ及びＭｅＮＢがＩＰｖ４及びＩＰｖ６のいずれもをサポートする場合、ＭｅＮＢは具現またはＯ＆Ｍ構成によってＩＰｖ４またはＩＰｖ６を選択することができる。ターゲットＳｅＮＢがＩＰｖ４及びＩＰｖ６のいずれもをサポートする場合、ＭｅＮＢはＭｅＮＢとＳＧＷ間に使用されたＩＰバージョンを選択することができる。
【０１２７】
ＩＰｖ４アドレス及びＩＰｖ６アドレスのいずれもが受信されても、送信階層アドレスバージョンを選択した後、ＭｅＮＢはＳＧＷによって指定されたアップリンクＴＥＩＤ及びＭｅＮＢによって選択されたＩＰアドレスバージョンに対応する送信階層アドレスによってＳＧＷにアップリンクデータを送信する。
【０１２８】
ＭｅＮＢは第３ベアラーセットアップリクエストメッセージをターゲットＳｅＮＢに送信する。メッセージはＭｅＮＢによって選択されたＩＰバージョンに対応するアップリンクＴＥＩＤ及び送信階層アドレスを含む。または、ＭｅＮＢはリクエストメッセージでターゲットＳｅＮＢによって使用されるＩＰバージョンを直接含む。
【０１２９】
第３ベアラーセットアップリクエストメッセージは、ＳｅＮＢ追加リクエストまたはハンドオーバーリクエスト、若しくはＸ２インターフェースを通じて用いられたベアラーセットアップリクエストに対する他のメッセージであってもよい。
【０１３０】
動作(８０２)で、ターゲットＳｅＮＢは応答をＭｅＮＢに送信する。応答はターゲットＳｅＮＢによって指定されるダウンリンクＴＥＩＤ及び送信階層アドレスを含む。ターゲットＳｅＮＢはＭｅＮＢから受信されるメッセージに含まれた使用されるＩＰバージョン、またはＭｅＮＢから受信されるリクエストメッセージに含まれたＩＰｖ４またはＩＰｖ６によって指定される送信階層アドレスのＩＰバージョンが分かっている。
【０１３１】
指定される送信階層アドレスがＩＰｖ４であり、ターゲットＳｅＮＢがＩＰｖ４をサポートする場合、ターゲットＳｅＮＢはＩＰｖ４の送信階層アドレスを指定し、指定された送信階層アドレスを応答を通じてＭｅＮＢに送信する。ターゲットＳｅＮＢがＩＰｖ４をサポートしない場合、ターゲットＳｅＮＢは失敗応答をＭｅＮＢに送信する。失敗応答は失敗理由を含み、例えば、送信階層アドレスはサポートされない。指定される送信階層アドレスがＩＰｖ６であり、ターゲットＳｅＮＢがＩＰｖ６をサポートする場合、ターゲットＳｅＮＢはＩＰｖ６の送信階層アドレスを指定し、指定された送信階層アドレスを応答を通じてＭｅＮＢに送信する。ターゲットＳｅＮＢがＩＰｖ６をサポートしない場合、ターゲットＳｅＮＢは失敗応答をＭｅＮＢに送信する。失敗応答は失敗理由を含み、例えば、送信階層アドレスはサポートされない。
【０１３２】
ＳＣＧベアラーの場合、ＭｅＮＢはＳｅＮＢから受信されるベアラーのＴＥＩＤ及び送信階層アドレスをＭＭＥに送信する。ＭＭＥはＭｅＮＢから受信されるベアラーのＴＥＩＤ及び送信階層アドレスをＳＧＷに送信する。ＩＰバージョンがハンドオーバー間の変更される場合、例えば、ＩＰバージョンがＩＰｖ４からＩＰｖ６に変更される場合、アップリンクデータを受信する時、ＳＧＷは新しいＩＰバージョンに対応する送信階層アドレスを通じてアップリンクデータを受信する。ダウンリンクデータを送信する時、ＳＧＷは送信階層アドレス及び新しいＴＥＩＤを通じてダウンリンクデータを送信する。
【０１３３】
ＳＧＷがＩＰｖ４アドレス及びＩＰｖ６アドレスのいずれもをＭＭＥに送信する場合、ＳＧＷがダウンリンク送信階層アドレスを受信した後、ＳＧＷはｅＮＢによりサポートされたり選択されるＩＰバージョンが分かっている。ダウンリンクデータを送信する場合、ＳＧＷはダウンリンクＴＥＩＤ及び送信階層アドレスを通じてダウンリンクデータを送信する。アップリンクデータを受信する場合、ＳＧＷはＳＧＷによって指定されたＴＥＩＤと対応するバージョンの送信階層アドレスを通じてアップリンクデータを受信する。
【０１３４】
上述した方法を用いることによって、ＳＡＥシステムがＩＰｖ４をサポートする装置及びＩＰｖ６をサポートする装置のいずれもを含む場合、ユーザ平面ベアラーは正確でかつ成功的に設立され、これにより相違する製造社間の相互操作性を保障し、ＭＭＥを修正することを回避することができる。
【０１３５】
図９は、本発明の実施形態によってユーザ平面ベアラーを設立するための第７方法を示したフローチャートである。
【０１３６】
図９を参照すれば、ＤＣシナリオで、ベアラーはＭｅＮＢまたはＳｅＮＢに設立され、ベアラーはＭｅＮＢでＳｅＮＢに変更されたりＳｅＮＢで新しいＳｅＮＢに変更される必要がある。新しいＳｅＮＢは新しいＳｅＮＢのユーザ平面の送信階層アドレスのＩＰｖ４またはＩＰｖ６を選択する。新しいＳｅＮＢのユーザ平面は新しいＳｅＮＢとＳＧＷ間のインターフェース(ＳＣＧ ベアラーの場合)または新しいＳｅＮＢとＭｅＮＢ間のインターフェース(スプリットベアラーの場合)であることができる。このような方法は、次の処理を含む。
【０１３７】
動作(９０１)で、ＭｅＮＢは第３ベアラーセットアップリクエストメッセージをターゲットＳｅＮＢに送信する。ハンドオーバーされるＳＣＧベアラーの場合、メッセージはベアラーを初期に設立するプロセスでＭＭＥからＭｅＮＢにより受信されるベアラーのアップリンクＴＥＩＤ及び送信階層アドレスを含む。送信階層アドレスはＩＰｖ４アドレスまたはＩＰｖ６アドレス、若しくはＩＰｖ４アドレス及びＩＰｖ６アドレスのいずれもであることができるＭＭＥから受信される。
【０１３８】
第３ベアラーセットアップリクエストメッセージはＳｅＮＢ追加リクエストまたはハンドオーバーリクエスト、若しくはＸ２インターフェースを通じて用いられたベアラーセットアップリクエストに対する他のメッセージであってもよい。
【０１３９】
動作(９０２)で、ターゲットＳｅＮＢはターゲットＳｅＮＢとＳＧＷ間またはターゲットＳｅＮＢとＭｅＮＢ間に使用されるＩＰバージョンとしてＩＰｖ４またはＩＰｖ６を選択する。  
【０１４０】
ＭｅＮＢからターゲットＳｅＮＢにより受信されるリクエストメッセージに含まれた送信階層アドレスがＩＰｖ４であり、ターゲットＳｅＮＢがＩＰｖ４をサポートする場合、ターゲットＳｅＮＢはＩＰｖ４の送信階層アドレスを指定する。ターゲットＳｅＮＢがＩＰｖ４をサポートしない場合、ターゲットＳｅＮＢは失敗応答をＭｅＮＢに送信する。失敗応答は失敗理由を含み、例えば、送信階層アドレスはサポートされない。
【０１４１】
ＭｅＮＢからターゲットＳｅＮＢにより受信されるリクエストメッセージに含まれた送信階層アドレスがＩＰｖ６であり、ターゲットＳｅＮＢがＩＰｖ６をサポートする場合、ターゲットＳｅＮＢはＩＰｖ６の送信階層アドレスを指定する。ターゲットＳｅＮＢがＩＰｖ６をサポートしない場合、ターゲットＳｅＮＢは失敗応答をＭｅＮＢに送信する。失敗応答は失敗理由を含み、例えば、送信階層アドレスはサポートされない。
【０１４２】
ＭｅＮＢからターゲットＳｅＮＢにより受信されるリクエストメッセージに含まれた送信階層アドレスがＩＰｖ４アドレス及びＩＰｖ６アドレスのいずれもを含む場合、ターゲットＳｅＮＢはターゲットＳｅＮＢによりサポートされたＩＰバージョンによってＩＰｖ４またはＩＰｖ６を選択し、選択されたＩＰバージョンに対応する送信階層アドレスを指定する。ターゲットＳｅＮＢがＩＰｖ４をサポートする場合、ＩＰｖ４が選択される。ターゲットＳｅＮＢがＩＰｖ６をサポートする場合、ＩＰｖ６が選択される。ターゲットＳｅＮＢがＩＰｖ４及びＩＰｖ６のいずれもをサポートする場合、ターゲットＳｅＮＢは具現またはＯ＆Ｍ構成によってＩＰｖ４またはＩＰｖ６を選択する。
【０１４３】
スプリットベアラーに対して、ＩＰｖ４及びＩＰｖ６のうちのいずれか１つを選択する時、ターゲットＳｅＮＢはターゲットＳｅＮＢ及びＭｅＮＢによりサポートされるＩＰバージョンを考慮することができる。ＭｅＮＢからターゲットＳｅＮＢにより受信されるメッセージ内に含まれた送信階層アドレスがＩＰｖ４であり、ターゲットＳｅＮＢ及びＭｅＮＢがＩＰｖ４をサポートする場合、ターゲットＳｅＮＢはＩＰｖ４の送信階層アドレスを指定する。ターゲットＳｅＮＢまたはＭｅＮＢがＩＰｖ４をサポートしない場合、ターゲットＳｅＮＢは失敗応答をＭｅＮＢに送信する。失敗応答は失敗理由を含み、例えば、送信階層アドレスはサポートされない。ＭｅＮＢからターゲットＳｅＮＢにより受信されるメッセージ内に含まれた送信階層アドレスがＩＰｖ６であり、ターゲットＳｅＮＢ及びＭｅＮＢがＩＰｖ６をサポートする場合、ターゲットＳｅＮＢはＩＰｖ６の送信階層アドレスを指定する。ターゲットＳｅＮＢまたはＭｅＮＢがＩＰｖ６をサポートしない場合、ターゲットＳｅＮＢは失敗応答をＭｅＮＢに送信する。失敗応答は失敗理由を含み、例えば、送信階層アドレスはサポートされない。ＭｅＮＢからターゲットＳｅＮＢにより受信されるメッセージ内に含まれた送信階層アドレスがＩＰｖ４アドレス及びＩＰｖ６アドレスのいずれもを含む場合、ターゲットＳｅＮＢはＭｅＮＢ及びターゲットＳｅＮＢによりサポートされたＩＰバージョンによってＩＰｖ４またはＩＰｖ６を選択し、選択されたＩＰバージョンに対応する送信階層アドレスを指定する。ターゲットＳｅＮＢ及びＭｅＮＢがＩＰｖ４をサポートする場合、ターゲットＳｅＮＢはＩＰｖ４を選択する。ターゲットＳｅＮＢ及びＭｅＮＢがＩＰｖ６をサポートする場合、ターゲットＳｅＮＢはＩＰｖ６を選択する。ターゲットＳｅＮＢ及びＭｅＮＢがＩＰｖ４及びＩＰｖ６のいずれもをサポートする場合、ターゲットＳｅＮＢは具現またはＯ＆Ｍ構成によってＩＰｖ４またはＩＰｖ６を選択する。
【０１４４】
スプリットベアラーに対して、ＩＰｖ４及びＩＰｖ６のうちのいずれか１つを選択する時、ターゲットＳｅＮＢはターゲットＳｅＮＢ及びＭｅＮＢによりサポートされるＩＰバージョンを考慮することができる。ターゲットＳｅＮＢ及びＭｅＮＢがＩＰｖ４をサポートする場合、ターゲットＳｅＮＢはＩＰｖ４を選択する。ターゲットＳｅＮＢ及びＭｅＮＢがＩＰｖ６をサポートする場合、ターゲットＳｅＮＢはＩＰｖ６を選択する。ターゲットＳｅＮＢ及びＭｅＮＢがＩＰｖ４及びＩＰｖ６のいずれもをサポートする場合、ターゲットＳｅＮＢは具現またはＯ＆Ｍ構成によってＩＰｖ４またはＩＰｖ６を選択する。
【０１４５】
ターゲットＳｅＮＢは第３ベアラーセットアップリクエストメッセージをＭｅＮＢに送信する。メッセージはターゲットＳｅＮＢによって指定された対応するＩＰバージョンのダウンリンクＴＥＩＤ及び送信階層アドレスを含む。
【０１４６】
第３ベアラーセットアップリクエストメッセージはＳｅＮＢ追加リクエスト肯定応答(ＡｄｄｉｔｉｏｎＲｅｑｕｅｓｔＡｃｋｎｏｗｌｅｄｇｅ)、またはハンドオーバーリクエスト肯定応答、若しくはＸ２インターフェースを通じて用いられたベアラーセットアップリクエストに対する他のメッセージであってもよい。
【０１４７】
ＳＣＧベアラーの場合、ＭｅＮＢはターゲットＳｅＮＢから受信されるベアラーのＴＥＩＤ及び送信階層アドレスをＭＭＥに送信する。ＭＭＥはベアラーのＴＥＩＤ及び送信階層アドレスをＳＧＷに送信する。ＩＰバージョンがハンドオーバー間の変更される場合、例えば、ＩＰ バージョンがＩＰｖ４からＩＰｖ６に変更される場合、アップリンクデータを受信する時、ＳＧＷは新しいＩＰバージョンに対応する送信階層アドレスを通じてアップリンクデータを受信する。ダウンリンクデータを送信する時、ＳＧＷは新しいＴＥＩＤ及び送信階層アドレスを通じてダウンリンクデータを送信する。
【０１４８】
上述した方法を用いることによって、ＳＡＥシステムがＩＰｖ４をサポートする装置及びＩＰｖ６をサポートする装置のいずれもを含む場合、ユーザ平面ベアラーは正確でかつ成功的に設立され、これにより相違する製造社間の相互操作性を保障し、ＭＭＥを修正することを回避することができる。
【０１４９】
図１０は、本発明の実施形態によってユーザ平面ベアラーを設立するための第８方法を示したフローチャートである。
【０１５０】
図１０を参照すれば、ＭＭＥがＳＧＷから受信されるそれぞれのベアラーに対してＳＧＷによって指定された送信階層アドレス及びアップリンクＴＥＩＤを受信した後、ＭＭＥはＩＰｖ４またはＩＰｖ６のうちのいずれか１つを選択する。方法は、次のような処理を含む。
【０１５１】
動作(１００１及び１００２)での処理はそれぞれ動作(３０１及び３０２)での処理と同様であり、これは本明細書で説明しない。
【０１５２】
動作(１００３)で、ＳＧＷからＭＭＥによって受信される送信階層アドレスがＩＰｖ４であり、ＵＥによりアクセスされたｅＮＢがＩＰｖ４をサポートする場合、ＭＭＥはｅＮＢとＳＧＷ間のＩＰｖ４に基づいてユーザ平面ベアラーを設立するためにトリガーする。ＳＧＷからＭＭＥによって受信される送信階層アドレスがＩＰｖ６であり、ＵＥによりアクセスされたｅＮＢがＩＰｖ６をサポートする場合、ＭＭＥはｅＮＢとＳＧＷ間のＩＰｖ６に基づいてユーザ平面ベアラーを設立するためにトリガーする。ＳＧＷからＭＭＥによって受信される送信階層アドレスがＩＰｖ４(またはＩＰｖ６)であり、ＵＥによりアクセスされたｅＮＢがＩＰｖ４(またはＩＰｖ６)をサポートしない場合、ユーザ平面の設立は失敗される。
【０１５３】
ＳＧＷからＭＭＥによって受信される送信階層アドレスがＩＰｖ４アドレス及びＩＰｖ６アドレスのいずれもを含む場合、ＭＭＥはＵＥによりアクセスされるｅＮＢによりサポートされたＩＰバージョンによってＩＰｖ４またはＩＰｖ６を選択する。ＵＥによりアクセスされたｅＮＢがＩＰｖ４をサポートする場合、ＭＭＥはＩＰｖ４を選択する。ＵＥによりアクセスされたｅＮＢがＩＰｖ６をサポートする場合、ＭＭＥはＩＰｖ６を選択する。ＵＥによりアクセスされたｅＮＢがＩＰｖ４及びＩＰｖ６のいずれもをサポートする場合、ＭＭＥは具現またはＯ＆Ｍ構成によってＩＰｖ４またはＩＰｖ６を選択する。
【０１５４】
ＭＭＥに直接接続されたマクロｅＮＢまたはＨｅＮＢの場合、ＭＭＥはＭＭＥとｅＮＢ間にＳＣＴＰ(Ｓｔｒｅａｍ Ｃｏｎｔｒｏｌ Ｔｒａｎｓｍｉｓｓｉｏｎ Ｐｒｏｔｏｃｏｌ)連関(ａｓｓｏｃｉａｔｉｏｎ)を設立するプロセスに応じてｅＮＢによりサポートされるＩＰバージョンを決定することができる。
【０１５５】
ＨｅＮＢ ＧＷを通じてＭＭＥに接続されたＨｅＮＢの場合、ＭＭＥは図１１及び１２の多様な実施形態によってＨｅＮＢによりサポートされるＩＰバージョンを決定することができる。
【０１５６】
ＤＣシナリオの場合、ＭＭＥはＭＭＥとＭｅＮＢ間のＳＣＴＰ連関を設立するプロセスに応じてＭｅＮＢによりサポートされるＩＰバージョンを決定することができる。ＭｅＮＢはＳｅＮＢによりサポートされるＩＰバージョンをＭＭＥに通知することができる。
【０１５７】
ＭＭＥは第２ベアラーセットアップリクエストメッセージをｅＮＢに送信する。メッセージはそれぞれのベアラーに対してＳＧＷによって指定されたアップリンクＴＥＩＤとＳＧＷから受信するＭＭＥによって選択された送信階層アドレスを含む。送信階層アドレスはＩＰｖ４またはＩＰｖ６を含むことができる。第２ベアラーセットアップリクエストメッセージは初期コンテクスト設定リクエスト、またはＥ-ＲＡＢ設定リクエスト、若しくはハンドオーバーリクエスト、またはＳ１インターフェースを通じて用いられたベアラーセットアップリクエストに対する他のメッセージであってもよい。
【０１５８】
ＵＥによりアクセスされるＨｅＮＢがＨｅＮＢ ＧＷを通じてＭＭＥにアクセスする場合、ＭＭＥは第２ベアラーセットアップリクエストメッセージをＨｅＮＢ ＧＷに送信する。メッセージはそれぞれのベアラーに対してＳＧＷによって指定されたアップリンクＴＥＩＤとＳＧＷから受信するＭＭＥによって選択された送信階層アドレスを含む。送信階層アドレスはＩＰｖ４アドレスまたはＩＰｖ６アドレスであることができる。第２ベアラーセットアップリクエストメッセージは初期コンテクスト設定リクエスト、またはＥ-ＲＡＢ設定リクエスト、若しくはハンドオーバーリクエスト、またはＳ１インターフェースを通じて用いられたベアラーセットアップリクエストに対する他のメッセージであってもよい。ＨｅＮＢ ＧＷは第３ベアラーセットアップリクエストメッセージをＨｅＮＢに送信する。ユーザ平面データがＨｅＮＢ ＧＷを通じて送信される必要がない場合、ＨｅＮＢ ＧＷはＭＭＥから第３ベアラーセットアップリクエストメッセージで受信されるアップリンクＴＥＩＤ及び送信階層アドレスを含む。ユーザ平面データがＨｅＮＢ ＧＷを通じて送信される必要がある場合、ＨｅＮＢ ＧＷはＨｅＮＢ ＧＷとＨｅＮＢ間にアップリンク送信階層アドレス及びＴＥＩＤを指定し、指定されたアップリンク送信階層アドレス及びＴＥＩＤをＨｅＮＢに送信する。第３ベアラーセットアップリクエストメッセージは初期コンテクスト設定リクエスト、またはＥ-ＲＡＢ設定リクエスト、若しくはハンドオーバーリクエスト、またはＳ１インターフェースを通じて用いられたベアラーセットアップリクエストに対する他のメッセージであってもよい。
【０１５９】
動作(１００４)で、ｅＮＢは第２ベアラーセットアップ応答メッセージをＭＭＥに送信する。ｅＮＢはダウンリンクＴＥＩＤ及び送信階層アドレスを指定し、ダウンリンクＴＥＩＤ及び送信階層を応答に含ませる。ＭＭＥからｅＮＢにより受信されるリクエストメッセージに含まれた送信階層アドレスがＩＰｖ４であり、ｅＮＢがＩＰｖ４をサポートする場合、ｅＮＢはＩＰｖ４の送信階層アドレスを指定する。ｅＮＢがＩＰｖ４をサポートしない場合、ｅＮＢは失敗応答をＭＭＥに送信する。失敗応答が失敗理由を含み、例えば、送信階層アドレスがサポートされない。ＭＭＥからｅＮＢにより受信されるリクエストメッセージに含まれた送信階層アドレスがＩＰｖ６であり、ｅＮＢがＩＰｖ６をサポートする場合、ｅＮＢはＩＰｖ６の送信階層アドレスを指定する。ｅＮＢがＩＰｖ６をサポートしない場合、ｅＮＢは失敗応答をＭＭＥに送信する。失敗応答が失敗理由を含み、例えば、送信階層アドレスがサポートされない。
【０１６０】
ＵＥによりアクセスされたＨｅＮＢがＨｅＮＢ ＧＷを通じてＭＭＥにアクセスする場合、ＨｅＮＢは応答をＨｅＮＢ ＧＷに送信する。応答はそれぞれのベアラーに対してｅＮＢによって指定されたダウンリンク送信階層アドレス及びＴＥＩＤを含む。ＨｅＮＢ ＧＷからｅＮＢにより受信されるリクエストメッセージに含まれた送信階層アドレスがＩＰｖ４であり、ｅＮＢがＩＰｖ４をサポートする場合、ｅＮＢはＩＰｖ４の送信階層アドレスを指定し、ＩＰｖ４の送信階層アドレスを応答を通じてＨｅＮＢ ＧＷに送信する。ｅＮＢがＩＰｖ４をサポートしない場合、ｅＮＢは失敗応答をＨｅＮＢ ＧＷに送信する。失敗応答は失敗理由を含み、例えば、送信階層アドレスはサポートされない。ＨｅＮＢ ＧＷからｅＮＢにより受信されるリクエストメッセージに含まれた送信階層アドレスがＩＰｖ６であり、ｅＮＢがＩＰｖ６をサポートする場合、ｅＮＢはＩＰｖ６の送信階層アドレスを指定し、ＩＰｖ６の送信階層アドレスを応答を通じてＨｅＮＢ ＧＷに送信する。ｅＮＢがＩＰｖ６をサポートしない場合、ｅＮＢは失敗応答をＨｅＮＢ ＧＷに送信する。失敗応答は失敗理由を含み、例えば、送信階層アドレスはサポートされない。ＨｅＮＢ ＧＷは第２ベアラーセットアップ応答メッセージをＭＭＥに送信する。ユーザ平面データがＨｅＮＢ ＧＷを通じて送信される必要がある場合、ＨｅＮＢ ＧＷはＨｅＮＢ ＧＷとＳＧＷ間のインターフェースに対するダウンリンクＴＥＩＤ及び送信階層アドレスを指定し、ダウンリンクＴＥＩＤ及び送信階層アドレスをＭＭＥに送信する。ユーザ平面データがＨｅＮＢ ＧＷを通じて送信される必要がない場合、ＨｅＮＢ ＧＷはＨｅＮＢから受信されるダウンリンクＴＥＩＤ及び送信階層アドレスをＭＭＥに送信する。
【０１６１】
ＭＭＥはｅＮＢまたはＨｅＮＢ ＧＷから受信されるそれぞれのベアラーのダウンリンクＴＥＩＤ及び送信階層アドレスをＳＧＷに送信する。
【０１６２】
ＳＧＷがＩＰｖ４アドレスとＩＰｖ６アドレスを同時にＭＭＥに送信する場合、ＳＧＷはダウンリンク送信階層アドレスを受信した後、ｅＮＢによりサポートされたり選択されるＩＰバージョンが分かっている。ダウンリンクデータを送信する場合、ＳＧＷはダウンリンクＴＥＩＤ及び送信階層アドレスを通じてダウンリンクデータを送信する。アップリンクデータを受信する時、ＳＧＷはＳＧＷによって指定されたＴＥＩＤとＳＧＷによって指定されたＤＬ ＩＰバージョンに対応する送信階層アドレスを通じてアップリンクデータを受信する。
【０１６３】
上述した方法を用いることによって、ＳＡＥシステムがＩＰｖ４をサポートする装置及びＩＰｖ６をサポートする装置のいずれもを含む場合、ユーザ平面ベアラーは正確でかつ成功的に設立され、これにより相違する製造社間の相互操作性を保障し、ＭＭＥを修正することを回避することができる。
【０１６４】
図１１は、本発明のユーザ平面ベアラーを設立するための第８方法によってＵＥによりアクセスされたｅＮＢによりサポートされるＩＰバージョンをＭＥによって獲得する第１手続きを示したフローチャートである。
【０１６５】
図１１を参照すれば、動作(１１００)で、ＵＥはＮＡＳメッセージ、例えば、接続リクエスト(Ａｔｔａｃｈ Ｒｅｑｕｅｓｔ)をＲＲＣメッセージを通じてＨｅＮＢに送信する。
【０１６６】
動作(１１０１)で、ＨｅＮＢはＮＡＳメッセージ、例えば、接続リクエストをＳ１初期ＵＥ メッセージを通じてＨｅＮＢ ＧＷに送信する。能動モードでのＵＥの場合、ＨｅＮＢは受信されたＮＡＳメッセージをＳ１アップリンクＮＡＳ送信メッセージを通じてＨｅＮＢ ＧＷに送信することができる。初期ＵＥメッセージまたはアップリンクＮＡＳ送信メッセージはＨｅＮＢによりサポートされたＩＰバージョンを含む。ＨｅＮＢ ＧＷは初期ＵＥメッセージまたはアップリンクＮＡＳ送信メッセージをＭＭＥに送信する。初期ＵＥメッセージまたはアップリンクＮＡＳ送信メッセージはＨｅＮＢによりサポートされるＩＰバージョンを含む。ＭＭＥはＨｅＮＢによりサポートされる受信されたＩＰバージョンを保存する。
【０１６７】
動作(１１０２)で、ＭＭＥはセッション生成リクエストをＳＧＷ／ＰＧＷに送信する。ＳＧＷとＰＧＷが分離する場合、ＳＧＷとＰＧＷ間のシグナリングプロセスは本明細書で省略する。
【０１６８】
動作(１１０３)で、ＳＧＷ／ＰＧＷはセッション生成応答をＭＭＥに送信する。セッション生成応答はＵＥのそれぞれのベアラーに対してＳＧＷによって指定されたＳ１インターフェースの送信階層アドレス及びアップリンクＴＥＩＤを含む。送信階層アドレスはＩＰｖ４及び／又はＩＰｖ６を含むことができる。
【０１６９】
動作(１１０４)で、ＭＭＥはＨｅＮＢによりサポートされる記憶されたＩＰバージョンによってユーザ平面の送信階層アドレスに対するＩＰｖ４またはＩＰｖ６を選択する。処理は(１００３)と同様であり、これは本明細書で説明しない。
【０１７０】
ＭＭＥは初期コンテクスト設定リクエストをＨｅＮＢ ＧＷを通じてＨｅＮＢに送信する。初期コンテクスト設定リクエストはＵＥのそれぞれのベアラーに対してＳＧＷによって指定されたＳ１インターフェースの送信階層アドレス及びアップリンクＴＥＩＤを含む。送信階層アドレスはＩＰｖ４またはＩＰｖ６であることができるＭＭＥによって選択される。
【０１７１】
ユーザ平面データがＨｅＮＢ ＧＷを通じて送信される必要がない場合、ＨｅＮＢ ＧＷによってＨｅＮＢに送信されるメッセージはＵＥのそれぞれのベアラーに対してＳＧＷによって指定された送信階層アドレス及びアップリンクＴＥＩＤを含む。送信階層アドレスはＩＰｖ４またはＩＰｖ６であることができるＭＭＥによって選択される。ユーザ平面データがＨｅＮＢ ＧＷを通じて送信される必要がある場合、ＨｅＮＢ ＧＷはＨｅＮＢ ＧＷとＨｅＮＢ間にアップリンク送信階層アドレス及びＴＥＩＤを指定する。ＨｅＮＢ ＧＷはＭＭＥから受信されるメッセージの送信階層アドレスのバージョンによってＨｅＮＢ ＧＷとＨｅＮＢ間にアップリンク送信階層アドレスを指定する。
【０１７２】
動作(１１０５及び１１０６)での処理はそれぞれ動作(２０５及び２０６)での処理と同様であり、これは本明細書で説明されない。
【０１７３】
動作(１１０７)で、ＨｅＮＢは初期コンテクスト設定応答をＨｅＮＢ ＧＷを通じてＭＭＥに送信する。ＨｅＮＢはダウンリンクＴＥＩＤ及び送信階層アドレスを指定する。ＨｅＮＢは動作(１１０４)で受信される送信階層アドレスのバージョンによる送信階層アドレスを指定する。ＨｅＮＢは指定されたＴＥＩＤ及び送信階層アドレスをＨｅＮＢ ＧＷに送信する。
【０１７４】
ユーザ平面データがＨｅＮＢ ＧＷを通じて送信される必要がない場合、ＨｅＮＢ ＧＷによってＭＭＥに送信されるメッセージはＵＥのそれぞれのベアラーに対してＨｅＮＢによって指定されたＳ１インターフェースのダウンリンク送信階層アドレス及びＴＥＩＤを含む。ユーザ平面データがＨｅＮＢ ＧＷを通じて送信される必要がある場合、ＨｅＮＢ ＧＷによってＭＭＥに送信されるメッセージはＵＥのそれぞれのベアラーに対してＨｅＮＢ ＧＷによって指定されるＨｅＮＢ ＧＷとＳＧＷ間のインターフェースのダウンリンクＴＥＩＤ及び送信階層アドレスを含む。ＨｅＮＢ ＧＷは受信されたメッセージのＩＰアドレスのバージョンによって送信階層アドレスを指定する。
【０１７５】
動作(１１０８及び１１０９)での処理はそれぞれ動作(２１０及び２１１)での処理と同様であり、これは本明細書で説明しない。
【０１７６】
図１２は、本発明のユーザ平面ベアラーを設立するための第８方法によってＵＥによりアクセスされたｅＮＢによりサポートされるＩＰバージョンをＭＭＥによって獲得する第２手続きを示したフローチャートである。
【０１７７】
図１２を参照すれば、動作(１２０１)で、ソースｅＮＢ(Ｓ-ｅＮＢ)はハンドオーバー要求メッセージ(Ｈａｎｄｏｖｅｒ Ｒｅｑｕｉｒｅｄ ｍｅｓｓａｇｅ)をＭＭＥに送信する。このようなメッセージはターゲットｅＮＢ(Ｔ-ｅＮＢ)によってサポートされるＩＰバージョンを含む。Ｓ-ｅＮＢはＳ-ｅＮＢとＴ-ｅＮＢ間のＳＣＴＰ連関プロセス、またはＯ＆Ｍ構成、若しくはＳ１インターフェースのＴＮＬ(Ｔｒａｎｓｍｉｓｓｉｏｎ Ｎｅｔｗｏｒｋ Ｌａｙｅｒ)アドレスをサーチするためのプロセスによりＴ-ｅＮＢによりサポートされるＩＰバージョンを決定する。Ｓ-ｅＮＢはＩＰアドレスをサーチするための関連技術分野のプロセスによるＴ-ｅＮＢのＩＰアドレスを決定し、したがって、Ｔ-ｅＮＢによりサポートされるＩＰバージョンを決定することができる。ＭＭＥはＴ-ｅＮＢによりサポートされる受信されたＩＰバージョンを記憶する。
【０１７８】
ＭＭＥはＴ-ｅＮＢによりサポートされる受信されたＩＰバージョンによるＴ-ｅＮＢとＳＧＷ間の送信階層アドレスのバージョンと、ベアラーを設立するためのプロセスでＳＧＷからＭＭＥによって受信される送信階層アドレスのバージョンを選択する。このような処理は１００３での処理と同等であり、これは本明細書で説明しない。
【０１７９】
動作(１２０２)で、ＭＭＥはハンドオーバーリクエストメッセージをＴ-ｅＮＢに送信する。メッセージは設立されるアップリンクＴＥＩＤ及び送信階層アドレスを含む。送信階層アドレスはＩＰｖ４またはＩＰｖ６であることができるＭＭＥによって選択される。
【０１８０】
動作(１２０３)で、Ｔ-ｅＮＢはハンドオーバーリクエスト肯定応答をＭＭＥに送信する。Ｔ-ｅＮＢは受信されたメッセージのＩＰバージョンによる送信階層アドレスを指定する。ハンドオーバーリクエスト肯定応答はＴ-ｅＮＢによって指定されたダウンリンクＴＥＩＤ及び送信階層アドレスを含む。
動作(１２０４)で、ＭＥはハンドオーバーコマンド(Ｈａｎｄｏｖｅｒ Ｃｏｍｍａｎｄ)をＳ-ｅＮＢに送信する。
動作(１２０５)で、Ｓ-ｅＮＢはＲＲＣ接続再設定メッセージをＵＥに送信する。
動作(１２０６)で、ＵＥはＲＲＣ接続再設定完了メッセージをＴ-ｅＮＢに送信する。
動作(１２０７)で、Ｔ-ｅＮＢはハンドオーバー通知メッセージをＭＭＥに送信する。
【０１８１】
図１３は、本発明の実施形態によってユーザ平面ベアラーを設立するための第９方法を示したフローチャートである。
【０１８２】
図１３を参照すれば、ＭＭＥはｅＮＢによりサポートされたＩＰバージョンを獲得し、１つのＩＰアドレスだけがＳ１１インターフェース及びＳ１インターフェースを通じて送信される必要があるように指定される送信階層アドレスのバージョンをＳＧＷに直接通知する。このような方法は次の処理を含む。
【０１８３】
動作(１３００)で、ＵＥはＮＡＳメッセージ、例えば、接続リクエストをＲＲＣメッセージを通じてｅＮＢに送信する。
【０１８４】
動作(１３０１)で、ｅＮＢはＮＡＳメッセージ、例えば、接続リクエストをＳ１初期ＵＥメッセージを通じてＭＭＥに送信する。能動モードでのＵＥの場合、ｅＮＢは受信されたＮＡＳメッセージをＳ１アップリンクＮＡＳ送信メッセージを通じてＭＭＥに送信することができる。
【０１８５】
初期ＵＥメッセージまたはアップリンクＮＡＳ送信メッセージはｅＮＢによりサポートされたＩＰバージョンを含む。ＭＭＥはｅＮＢによりサポートされる受信されたＩＰバージョンを記憶する。ハンドオーバー手続きで、ＭＭＥはハンドオーバーの必要なメッセージを通じてＴ-ＥＮＢによりサポートされたＩＰバージョンを獲得することができる。
【０１８６】
動作(１３０２)で、ＭＭＥはセッション生成リクエストをＳＧＷ／ＰＧＷに送信する。ＳＧＷとＰＧＷが分離する場合、ＳＧＷとＰＧＷ間のシグナリングプロセスは本明細書で省略する。ＭＭＥはＵＥによりアクセスされたｅＮＢによりサポートされるＩＰバージョンによって指定されるアップリンク送信階層アドレスのバージョンをＳＧＷに通知する。ＵＥによりアクセスされるｅＮＢがＩＰｖ４をサポートする場合、ＭＭＥはＩＰｖ４の送信階層アドレスを指定するためにＳＧＷに通知する。ＵＥによりアクセスされるｅＮＢがＩＰｖ６をサポートする場合、ＭＭＥはＩＰｖ６の送信階層アドレスを指定するためにＳＧＷに通知する。ＵＥによりアクセスされるｅＮＢがＩＰｖ４及びＩＰｖ６のいずれもをサポートする場合、ＭＭＥはＩＰｖ４バージョン及びＩＰｖ６バージョンのいずれか１つを選択し、選択された１つをＳＧＷに通知することができる。またはＭＭＥはＩＰｖ４及びＩＰｖ６をＳＧＷに通知することができ、ＳＧＷは使用するために１つを選択する。
【０１８７】
動作(１３０３)で、ＳＧＷ／ＰＧＷはセッション生成応答をＭＭＥに送信する。セッション生成応答はＵＥのそれぞれのベアラーに対してＳＧＷによって指定されたＳ１インターフェースの送信階層アドレス及びアップリンクＴＥＩＤを含む。送信階層アドレスはＩＰｖ４またはＩＰｖ６を含むことができる。送信階層アドレスだけが１つのバージョンを有する。
【０１８８】
動作(１３０４)で、ＭＭＥは初期コンテクスト設定リクエストをｅＮＢに送信する。初期コンテクスト設定リクエストはＵＥのそれぞれのベアラーに対してＳＧＷによって指定されたＳ１インターフェースの送信階層アドレス及びアップリンクＴＥＩＤを含む。
【０１８９】
動作(１３０５及び１３０６)での処理はそれぞれ動作(２０５及び２０６)での処理と同様であり、これは本明細書で説明しない。
【０１９０】
動作(１３０７)で、ｅＮＢは初期コンテクスト設定応答をＭＭＥに送信する。ｅＮＢはダウンリンクＴＥＩＤ及び送信階層アドレスを指定する。ｅＮＢは１３０４から受信される送信階層アドレスのバージョンによるＩＰアドレスを指定する。ｅＮＢは指定されたＴＥＩＤ及び送信階層アドレスをＭＭＥに送信する。
【０１９１】
動作(１３０８及び１３０９)での処理はそれぞれ動作(２１０及び２１１)での処理と同様であり、これは本明細書で説明しない。
【０１９２】
図１４は、本発明の実施形態によってユーザ平面ベアラーを設立するための第１０方法を示したフローチャートである。
【０１９３】
図１４を参照すれば、Ｘ２ハンドオーバープロセスで、ソースｅＮＢ(Ｓ-ｅＮＢ)はターゲットｅＮＢ(Ｔ-ｅＮＢ)のインターフェースのユーザ平面送信階層アドレスに対するＩＰｖ４及びＩＰｖ６のうちのいずれか１つを選択する。Ｔ-ｅＮＢのインターフェースはＴ-ｅＮＢとＳＧＷ間のインターフェース、またはＳ-ｅＮＢとＴ-ｅＮＢ間のインターフェースであることができる。このような方法は、次の処理を含む。
【０１９４】
動作(１４０１)で、Ｓ-ｅＮＢはＵＥに対するハンドオーバーを開始する。ＵＥのベアラーの場合、ベアラーを設立するプロセスでＭＭＥからＳ-ｅＮＢによって受信された送信階層アドレスが初期にＩＰｖ４(またはＩＰｖ６)を含み、ハンドオーバーのＴ-ｅＮＢがさらにＩＰｖ４(またはＩＰｖ６)をサポートする場合、ベアラーはＴ-ｅＮＢに設立することができる。Ｓ-ｅＮＢはＴ-ｅＮＢとＳＧＷ間のＩＰｖ４(またはＩＰｖ６)の送信階層アドレスを使用するために選択する。
【０１９５】
Ｓ-ｅＮＢはＴ-ｅＮＢとＳＧＷ間に用いられるようにＳ-ｅＮＢとＳＧＷ間のＩＰバージョンを選択することができ、使用されるＩＰバージョンをＴ-ｅＮＢに通知する。
【０１９６】
Ｓ-ｅＮＢは情報要素によって使用されるＩＰバージョンをＴ-ｅＮＢに通知することができるか、アップリンクＴＥＩＤ及び送信階層アドレスを用いることで使用されるＩＰバージョンをＴ-ｅＮＢに暗示的に通知することができる。送信階層アドレスがＩＰｖ４の場合、Ｔ-ｅＮＢはＩＰｖ４の送信階層アドレスを割り当てる必要がある。送信階層アドレスがＩＰｖ６の場合、Ｔ-ｅＮＢはＩＰｖ６の送信階層アドレスを割り当てる必要がある。
【０１９７】
データ伝達を要するベアラーの場合、Ｓ-ｅＮＢはＳ-ｅＮＢとＴ-ｅＮＢ間のＩＰバージョン、Ｓ-ｅＮＢとＳＧＷ間の同じＩＰバージョンを用いることができる。Ｓ-ｅＮＢは情報要素によって使用されるＩＰバージョンをＴ-ｅＮＢに通知することができるか、アップリンクＴＥＩＤ及び送信階層アドレスを用いることで使用されるＩＰバージョンをＴ-ｅＮＢに暗示的に通知することができる。送信階層アドレスがＩＰｖ４の場合、Ｔ-ｅＮＢはデータ伝達のためにＩＰｖ４の送信階層アドレスを割り当てる必要がある。送信階層アドレスがＩＰｖ６の場合、Ｔ-ｅＮＢはデータ伝達のためにＩＰｖ６の送信階層アドレスを割り当てる必要がある。
【０１９８】
ＵＥのベアラーの場合、ベアラーを設立するプロセスでＭＭＥからＳ-ｅＮＢにより受信される送信階層アドレスが初期にＩＰｖ４アドレス及びＩＰｖ６アドレスのいずれもを含む場合、Ｓ-ｅＮＢは Ｔ-ｅＮＢによりサポートされたＩＰバージョンによってＴ-ｅＮＢとＳＧＷ間のインターフェースに使用されるＩＰバージョンを選択することができる。Ｔ-ｅＮＢがＩＰｖ４をサポートする場合、Ｓ-ｅＮＢはＩＰｖ４を選択する。Ｔ-ｅＮＢがＩＰｖ６をサポートする場合、Ｓ-ｅＮＢはＩＰｖ６を選択する。Ｔ-ｅＮＢがＩＰｖ４及びＩＰｖ６のいずれもをサポートする場合、Ｓ-ｅＮＢは具現またはＯ＆Ｍ構成によってＩＰバージョンを選択することができる。Ｔ-ｅＮＢがＩＰｖ４及びＩＰｖ６のいずれもをサポートする場合、Ｓ-ｅＮＢはＴ-ｅＮＢとＳＧＷ間に用いられるようにＳ-ｅＮＢとＳＧＷ間に使用されたＩＰバージョンを選択することができる。
【０１９９】
ＵＥのベアラーの場合、ベアラーを設立するプロセスでＭＭＥからＳ-ｅＮＢにより受信される送信階層アドレスがデータ伝達を要するベアラーのために初期にＩＰｖ４アドレス及びＩＰｖ６アドレスのいずれもを含む場合、Ｓ-ｅＮＢはＴ-ｅＮＢ及びＳ-ｅＮＢによりサポートされたＩＰバージョンによってＴ-ｅＮＢとＳ-ｅＮＢ間のインターフェースに使用されるＩＰバージョンを選択することができる。Ｔ-ｅＮＢ及びＳ-ｅＮＢがＩＰｖ４をサポートする場合、Ｓ-ｅＮＢはＩＰｖ４を選択する。Ｔ-ｅＮＢ及びＳ-ｅＮＢがＩＰｖ６をサポートする場合、Ｓ-ｅＮＢはＩＰｖ６を選択する。Ｔ-ｅＮＢ及びＳ-ｅＮＢがＩＰｖ４及びＩＰｖ６のいずれもをサポートする場合、Ｓ-ｅＮＢは具現またはＯ＆Ｍ構成によってＩＰバージョンを選択することができる。Ｔ-ｅＮＢ及びＳ-ｅＮＢがＩＰｖ４及びＩＰｖ６のいずれもをサポートする場合、Ｓ-ｅＮＢはＴ-ｅＮＢとＳＧＷ間に用いられるようにＳ-ｅＮＢとＳＧＷ間に使用されたＩＰバージョンを選択することができる。
【０２００】
Ｓ-ｅＮＢはハンドオーバーリクエストメッセージをＴ-ｅＮＢに送信する。メッセージはＳ-ｅＮＢによって選択されたバージョンのアップリンクＴＥＩＤ及び送信階層アドレスを含む。または、Ｓ-ｅＮＢはメッセージでＴ-ｅＮＢによって使用されるＩＰバージョンを明示的に含む。
【０２０１】
動作(１４０２)で、Ｔ-ｅＮＢはハンドオーバーリクエスト肯定応答をＳ-ｅＮＢに送信する。ハンドオーバーリクエスト肯定応答はＴ-ｅＮＢによって割り当てられるダウンリンクＴＥＩＤ及び送信階層アドレスを含む。Ｔ-ｅＮＢはＳ-ｅＮＢから受信されるメッセージに含まれた割り当てられるＩＰバージョン、またはＳ-ｅＮＢから受信されるメッセージに含まれたＩＰｖ４またはＩＰｖ６の送信階層アドレスによって割り当てられる送信階層アドレスを決定する。
【０２０２】
割り当てられる送信階層アドレスがＩＰｖ４であり、Ｔ-ｅＮＢがＩＰｖ４をサポートする場合、Ｔ-ｅＮＢはＩＰｖ４の送信階層アドレスを割り当てて、割り当てられた送信階層アドレスを応答を通じてＳ-ｅＮＢに送信することができる。Ｔ-ｅＮＢがＩＰｖ４をサポートしない場合、Ｔ-ｅＮＢは失敗応答をＳ-ｅＮＢに送信する。失敗応答は失敗理由を含み、例えば、送信階層アドレスはサポートされない。割り当てされる送信階層アドレスがＩＰｖ６であり、Ｔ-ｅＮＢがＩＰｖ６をサポートする場合、Ｔ-ｅＮＢはＩＰｖ６の送信階層アドレスを割り当てて、割り当てられた送信階層アドレスを応答を通じてＳ-ｅＮＢに送信することができる。Ｔ-ｅＮＢがＩＰｖ６をサポートしない場合、Ｔ-ｅＮＢは失敗応答をＳ-ｅＮＢに送信する。失敗応答は失敗理由を含み、例えば、送信階層アドレスはサポートされない。
【０２０３】
Ｓ-ｅＮＢはＴ-ｅＮＢから受信されるベアラーのダウンリンクＴＥＩＤ及び送信階層アドレスをＭＭＥに送信する。ＭＭＥはベアラーのダウンリンクＴＥＩＤ及び送信階層アドレスをＳＧＷに送信する。ＩＰバージョンがハンドオーバー間の変更される場合、例えば、ＩＰバージョンがＩＰｖ４からＩＰｖ６に変更される場合、アップリンクデータを受信する時、ＳＧＷは新しいＩＰバージョンに対応する送信階層アドレスを通じてアップリンクデータを受信する。ダウンリンクデータを送信する時、ＳＧＷは新しいＴＥＩＤ及び送信階層アドレスを通じてダウンリンクデータを送信する。
【０２０４】
上述した方法を用いることによって、ＳＡＥシステムがＩＰｖ４をサポートする装置及びＩＰｖ６をサポートする装置のいずれもを含む場合、ユーザ平面ベアラーは正確でかつ成功的に設立され、これにより相違する製造社間の相互操作性を保障し、ＭＭＥを修正することを回避することができる。
【０２０５】
図１５は、本発明の実施形態によってユーザ平面ベアラーを設立するための第１１方法を示した概路図である。
【０２０６】
図１５を参照すれば、Ｘ２ハンドオーバープロセスで、Ｔ-ｅＮＢはＴ-ｅＮＢのインターフェースのユーザ平面送信階層アドレスに対するＩＰｖ４及びＩＰｖ６のうちのいずれか１つを選択する。Ｔ-ｅＮＢのインターフェースは新しいＴ-ｅＮＢとＳＧＷ間のインターフェース、またはＳ-ｅＮＢとＴ-ｅＮＢ間のインターフェース(ユーザデータ伝達)であることができる。このような方法は、次の処理を含む。
【０２０７】
動作(１５０１)で、Ｓ-ｅＮＢはハンドオーバーリクエストメッセージをＴ-ｅＮＢに送信する。ハンドオーバーリクエストメッセージはＵＥのベアラーを生成するための初期プロセスでＭＭＥからＳ-ｅＮＢにより受信されるＴＥＩＤ及び送信階層アドレスを含む。送信階層アドレスはＩＰｖ４アドレスまたはＩＰｖ６アドレス、若しくはＩＰｖ４アドレス及びＩＰｖ６アドレスのいずれもを含むことができるＭＭＥから受信される。
【０２０８】
動作(１５０２)で、Ｔ-ｅＮＢはＴ-ｅＮＢとＳＧＷ間のインターフェースまたはＳ-ｅＮＢとＴ-ｅＮＢ間のインターフェースに対するＩＰｖ４アドレス及びＩＰｖ６アドレスのうちのいずれか１つを選択する。
【０２０９】
Ｓ-ｅＮＢからＴ-ｅＮＢにより受信されるハンドオーバーリクエストメッセージ内に含まれた送信階層アドレスがＩＰｖ６であり、Ｔ-ｅＮＢがＩＰｖ６をサポートする場合、Ｔ-ｅＮＢはＩＰｖ６の送信階層アドレスを割り当てる。Ｔ-ｅＮＢがＩＰｖ６をサポートしない場合、Ｔ-ｅＮＢは失敗応答をＳ-ｅＮＢに送信する。失敗応答は失敗理由を含み、例えば、送信階層アドレスはサポートされない。
【０２１０】
Ｓ-ｅＮＢからＴ-ｅＮＢにより受信されるハンドオーバーリクエストメッセージ内に含まれた送信階層アドレスがＩＰｖ４アドレス及びＩＰｖ６アドレスのいずれもを含む場合、Ｔ-ｅＮＢはＴ-ｅＮＢによりサポートされるＩＰバージョンによってＩＰｖ４アドレス及びＩＰｖ６アドレスを選択することができる。Ｔ-ｅＮＢがＩＰｖ４をサポートする場合、Ｔ-ｅＮＢはＩＰｖ４の送信階層アドレスを割り当てる。Ｔ-ｅＮＢがＩＰｖ６をサポートする場合、Ｔ-ｅＮＢはＩＰｖ６の送信階層アドレスを割り当てる。Ｔ-ｅＮＢがＩＰｖ４及びＩＰｖ６のいずれもをサポートする場合、Ｔ-ｅＮＢは具現またはＯ＆Ｍ構成によってＩＰｖ４またはＩＰｖ６を選択する。
【０２１１】
データ伝達を要するベアラーの場合、ＩＰｖ４及びＩＰｖ６のうちのいずれか１つを選択する時、Ｔ-ｅＮＢはＴ-ｅＮＢ及びＳ-ｅＮＢによりサポートされるＩＰバージョンを考慮することができる。Ｓ-ｅＮＢからＴ-ｅＮＢにより受信されるハンドオーバーリクエスト内に含まれた送信階層アドレスがＩＰｖ４であり、Ｔ-ｅＮＢ及びＳ-ｅＮＢがＩＰｖ４をサポートする場合、Ｔ-ｅＮＢはＩＰｖ４の送信階層アドレスを割り当てる。Ｔ-ｅＮＢまたはＳ-ｅＮＢがＩＰｖ４をサポートしない場合、Ｔ-ｅＮＢは失敗応答をＳ-ｅＮＢに送信する。失敗応答が失敗理由を含み、例えば、送信階層アドレスがサポートされない。Ｓ-ｅＮＢからＴ-ｅＮＢにより受信されるハンドオーバーリクエスト内に含まれた送信階層アドレスがＩＰｖ６であり、Ｔ-ｅＮＢ及びＳ-ｅＮＢがＩＰｖ６をサポートする場合、Ｔ-ｅＮＢはＩＰｖ６の送信階層アドレスを割り当てる。Ｔ-ｅＮＢまたはＳ-ｅＮＢがＩＰｖ６をサポートしない場合、Ｔ-ｅＮＢは失敗応答をＳ-ｅＮＢに送信する。失敗応答が失敗理由を含み、例えば、送信階層アドレスがサポートされない。Ｓ-ｅＮＢからＴ-ｅＮＢにより受信される応答内に含まれた送信階層アドレスがＩＰｖ４アドレス及びＩＰｖ６アドレスのいずれもを含む場合、Ｔ-ｅＮＢ及びＳ-ｅＮＢによりサポートされたＩＰバージョンによってＩＰｖ４アドレス及びＩＰｖ６アドレスを選択し、対応するバージョンのダウンリンク送信階層アドレスを割り当てる。Ｔ-ｅＮＢ及びＳ-ｅＮＢがＩＰｖ４をサポートする場合、Ｔ-ｅＮＢはＩＰｖ４を選択する。Ｔ-ｅＮＢ及びＳ-ｅＮＢがＩＰｖ６をサポートする場合、Ｔ-ｅＮＢはＩＰｖ６を選択する。Ｔ-ｅＮＢ及びＳ-ｅＮＢがＩＰｖ４及びＩＰｖ６のいずれもをサポートする場合、Ｔ-ｅＮＢは具現またはＯ＆Ｍ構成によってＩＰｖ４またはＩＰｖ６を選択する。Ｔ-ｅＮＢはハンドオーバーリクエスト肯定応答をＳ-ｅＮＢに送信する。ハンドオーバーリクエスト肯定応答はＴ-ｅＮＢによって割り当てられたダウンリンクＴＥＩＤ及び送信階層アドレスを含む。
【０２１２】
Ｓ-ｅＮＢはＴ-ｅＮＢから受信されるベアラーのダウンリンクＴＥＩＤ及び送信階層アドレスをＭＭＥに送信する。ＭＭＥはベアラーのダウンリンクＴＥＩＤ及び送信階層アドレスをＳＧＷに送信する。ＩＰバージョンがハンドオーバー間の変更される場合、例えば、ＩＰバージョンがＩＰｖ４からＩＰｖ６に変更される場合、アップリンクデータを受信する時、ＳＧＷは新しいＩＰバージョンに対応する送信階層アドレスを通じてアップリンクデータを受信する。ダウンリンクデータを送信する時、ＳＧＷは新しいＴＥＩＤ及び送信階層アドレスを通じてダウンリンクデータを送信する。
【０２１３】
上述した方法を用いることによって、ＳＡＥシステムがＩＰｖ４をサポートする装置及びＩＰｖ６をサポートする装置のいずれもを含む場合、ユーザ平面ベアラーは正確でかつ成功的に設立され、これにより相違する製造社間の相互操作性を保障し、ＭＭＥを修正することを回避することができる。
【０２１４】
図１６は、本発明の実施形態によってユーザ平面ベアラーを設立するための方法を示したフローチャートである。
【０２１５】
図１６を参照すれば、動作１６０１で、ＲＡＮエンティティーはＭＭＥによって送信されたベアラーセットアップリクエストメッセージを受信する。ベアラーセットアップリクエストメッセージはＳＧＷから受信されるそれぞれのベアラーに対してＳＧＷによって割り当てられたアップリンクＴＥＩＤ及び送信階層アドレスを含む。
【０２１６】
動作(１６０２)で、ＲＡＮエンティティーは応答メッセージをＭＭＥに送信する。応答メッセージはそれぞれのベアラーに対してＲＡＮエンティティーによって割り当てられたダウンリンクＴＥＩＤ及び送信階層アドレスを含む。
【０２１７】
このような方法で、ＲＡＮエンティティーはｅＮＢ、ＨｅＮＢ、ＨｅＮＢ ＧＷ、マスターｅＮＢ、補助ｅＮＢなどであってもよい。
【０２１８】
また、本発明の多様な実施形態はさらに第２方法を提供する。
【０２１９】
ＭＭＥはＳＧＷによって送信されるベアラーセットアップリクエストメッセージを受信する。ベアラーセットアップリクエストメッセージはそれぞれのベアラーに対してＳＧＷによって割り当てられたアップリンクＴＥＩＤ及び送信階層アドレスを含む。
【０２２０】
ＭＭＥは第２ベアラーセットアップリクエストメッセージをアクセスエンティティーに送信する。第２ベアラーセットアップリクエストメッセージはそれぞれのベアラーに対してＳＧＷによって割り当てられたダウンリンクＴＥＩＤ及び送信階層アドレスを含む。
また、本発明の多様な実施形態はさらに第３方法を提供する。
【０２２１】
ＭＭＥはアクセスエンティティーによって送信されたメッセージを受信する。このようなメッセージはアクセスエンティティーによってサポートされる送信階層アドレスバージョンを含む。
【０２２２】
ＭＭＥはセッション生成リクエストメッセージをＳＧＷに送信し、セッション生成リクエストメッセージはアクセスエンティティーによってサポートされる送信階層アドレスバージョンを含む。
【０２２３】
図１７は、本発明の実施形態によってユーザ平面ベアラーを設立するための装置を示した概路図である。
【０２２４】
図１７を参照すれば、装置は第１受信モジュール及び第１送信モジュールを含む。
【０２２５】
第１受信モジュールはＭＭＥによって送信されるベアラーセットアップリクエストメッセージを受信することである。ベアラーセットアップリクエストメッセージはＳＧＷから受信されるそれぞれのベアラーに対してＳＧＷによって割り当てられたアップリンクＴＥＩＤ及び送信階層アドレスを含む。
【０２２６】
第１送信モジュールは応答メッセージをＭＭＥに送信することである。応答メッセージはそれぞれのベアラーに対するＲＡＮエンティティーによって割り当てられたダウンリンクＴＥＩＤ及び送信階層アドレスを含む。
【０２２７】
また、本発明の多様な実施形態はさらにユーザ平面を設立するためのＭＭＥを提供する。ＭＭＥは第２受信モジュール及び第２送信モジュールを含む。
【０２２８】
第２受信モジュールはＳＧＷによって送信されるベアラーセットアップリクエストメッセージを受信することである。ベアラーセットアップリクエストメッセージはそれぞれのベアラーに対してＳＧＷによって割り当てられたアップリンクＴＥＩＤ及び送信階層アドレスを含む。
【０２２９】
第２送信モジュールは第２ベアラーセットアップリクエストメッセージを端末側でのアクセスエンティティーに送信することである。第２ベアラーセットアップリクエストメッセージはそれぞれのベアラーに対してＭＭＥによって割り当てられたダウンリンクＴＥＩＤ及び送信階層アドレスを含む。
【０２３０】
また、本発明の多様な実施形態はさらにユーザ平面を設立するためのＭＭＥを提供する。ＭＭＥは第３受信モジュール及びセッション設立モジュールを含む。
【０２３１】
第３受信モジュールはアクセスエンティティーによって送信されたメッセージを受信することである。このようなメッセージは、アクセスエンティティーによってサポートされる送信階層アドレスバージョンを含む。
【０２３２】
セッション設立モジュールはセッション生成をＳＧＷに送信することである。セッション生成リクエストメッセージはアクセスエンティティーによってサポートされる送信階層アドレスバージョンを含む。
【０２３３】
本発明がこの多様な実施形態に係って図示して説明されたが、本技術分野の技術者は形態と詳細事項での多様な変化が添付された請求範囲及びこの等価物により定義されたように本発明の思想及び範囲を逸脱せず本明細書において成ることができるということを理解するだろう。
【符号の説明】
【０２３４】
１０１  ユーザ装置
１０２  Ｅ−ＵＴＲＡＮ
１０３  ＭＭＥ
１０４  ＳＧＷ
１０５  ＰＧＷ
１０６  ＰＣＲＦ
１０８  ＳＧＳＮ
１０９  ＨＳＳ
【図１】
0006571117.tif 000002
【図２】
0006571117.tif 000003
【図３】
0006571117.tif 000004
【図４】
0006571117.tif 000005
【図５】
0006571117.tif 000006
【図６】
0006571117.tif 000007
【図７】
0006571117.tif 000008
【図８】
0006571117.tif 000009
【図９】
0006571117.tif 000010
【図１０】
0006571117.tif 000011
【図１１】
0006571117.tif 000012
【図１２】
0006571117.tif 000013
【図１３】
0006571117.tif 000014
【図１４】
0006571117.tif 000015
【図１５】
0006571117.tif 000016
【図１６】
0006571117.tif 000017
【図１７】
0006571117.tif 000018